(57)【要約】【課題】  眼鏡フレームを装用した被検者の側方画像から取得できる眼鏡装用パラメータを、より確実に測定できる。【解決手段】  眼鏡フレームを装用した被検者の側方を撮像するための撮像素子を備える撮像光学系と、前記撮像素子によって、眼鏡作製に用いる眼鏡装用パラメータを測定するための側方画像を撮影する眼鏡パラメータ測定用撮影装置であって、前記撮像素子に対して被検者よりも後方に配置され、被検者の背景として前記眼鏡フレームとのコントラストを高める背景部材を備えることを特徴とする。【選択図】      図７
2015066134.tif 000002
【特許請求の範囲】
【請求項１】
眼鏡フレームを装用した被検者の側方を撮像するための撮像素子を備える撮像光学系と、前記撮像素子によって、眼鏡作製に用いる眼鏡装用パラメータを測定するための側方画像を撮影する眼鏡パラメータ測定用撮影装置であって、
前記撮像素子に対して被検者よりも後方に配置され、被検者の背景として前記眼鏡フレームとのコントラストを高める背景部材を備えることを特徴とする眼鏡装用パラメータ測定用撮影装置。
【請求項２】
前記側方画像から前記眼鏡フレームを画像処理によって識別する画像処理手段を備えることを特徴とする請求項１の眼鏡装用パラメータ測定用撮影装置。
【請求項３】
前記背景部材を照明する照明光源をさらに備え、
前記背景部材は、前記照明光源からの照明光によって、被検者の背景として前記眼鏡フレームとのコントラストを高める背景色を形成することを特徴とする請求項１又は２の眼鏡装用パラメータ測定用撮影装置。
【請求項４】
前記背景部材は、被検者の背景として眼鏡フレームとのコントラストを高める背景色に施されていることを特徴とする請求項１〜３の眼鏡装用パラメータ測定用撮影装置。
【請求項５】
前記背景部材は、黒色よりも明るい背景色を有する背景部材であることを特徴とする請求項４の眼鏡装用パラメータ測定用撮影装置。
【請求項６】
前記背景部材に向けて照明光を照射する照明光源を備えることを特徴とする請求項１〜５のいずれかの眼鏡装用パラメータ測定用撮影装置。
【請求項７】
請求項３又は６の眼鏡パラメータ測定用撮影装置は、前記照明光源によって照明される前記背景部材の照度を調節する照度調節手段をさらに備え、
前記照度調節手段によって前記背景部材の照度を調節することによって、背景の明るさが異なる側方画像を撮像できることを特徴とする眼鏡装用パラメータ測定用撮影装置。
【請求項８】
照度調節手段は、前記画像処理手段によって前記眼鏡フレームが識別できなかった場合、背景部材の照度を変更することを特徴とする請求項７の眼鏡装用パラメータ測定用撮影装置。
【請求項９】
請求項１〜８のいずれかの眼鏡パラメータ測定用撮影装置は、前記撮像光学系の光路中に前記背景部材を挿脱するための挿脱手段をさらに備え、
前記挿脱手段によって前記撮像光学系の撮像光路中に前記背景部材を挿脱することで、前記背景の明るさが異なる側方画像を撮像できることを特徴とする眼鏡装用パラメータ測定用撮影装置。
【請求項１０】
請求項７〜９のいずれかの眼鏡パラメータ測定用撮影装置は、
前記画像処理手段は、少なくとも２枚以上の前記背景の明るさが異なる側方画像から前記背景部材と前記眼鏡フレームとを識別することを特徴とする眼鏡装用パラメータ測定用撮影装置。
【請求項１１】
前記背景部材は、前記眼鏡パラメータ測定用撮影装置に取り付けられていることを特徴とする請求項１〜１０のいずれかの眼鏡装用パラメータ測定用撮影装置。
【発明の詳細な説明】
【技術分野】
【０００１】
本発明は、眼鏡を製作するために必要な眼鏡装用パラメータを測定する眼鏡装用パラメータ測定用撮影装置に関する。
【背景技術】
【０００２】
近年、眼鏡を作製する際、検査によって得られた処方値に眼鏡を適合させるため、選択された眼鏡フレームと、眼鏡を装用する被検者とに関する眼鏡装用パラメータを測定することが行われはじめている。そして、測定された眼鏡装用パラメータは、眼鏡レンズの設計、又は眼鏡レンズの加工及び枠入れの際に利用することが考えられている。
【０００３】
従来の眼鏡パラメータ測定用撮影装置は、例えば、眼鏡装用パラメータ測定用撮影装置によって、眼鏡フレームを装用した被検者の側方を撮影し、撮影した側方画像に写った眼鏡フレームなどを自動検出することによって、眼鏡の製作に必要な眼鏡装用パラメータを測定する（特許文献１参照）。
【０００４】
この種の装置は、例えば、撮影した側方画像から眼鏡フレームを検出し、フレームの前傾角を求める。また、例えば、撮影した側方画像に基づき、被検者の眼と眼鏡フレームとの距離（眼鏡装用距離）を求める。
【先行技術文献】
【特許文献】
【０００５】
【特許文献１】特開２０１１−２０９５３０
【発明の概要】
【発明が解決しようとする課題】
【０００６】
ところで、従来の装置において、眼鏡フレームを装用した被検者の側方から画像を撮影した場合、画像の背景として、例えば、測定を行う部屋の壁等が写っていた。
【０００７】
このため、背景とフレームとのコントラストが弱くなり、撮影した画像からフレームを視認することが難しい場合があった。また、画像処理によって、フレームの位置を検出することが難しい場合があった。
【０００８】
本発明は、上記問題点を鑑み、眼鏡フレームを装用した被検者の側方画像から取得できる眼鏡装用パラメータを、より確実に測定可能な眼鏡パラメータ測定用撮影装置を提供することを技術課題の一つとする。
【課題を解決するための手段】
【０００９】
上記課題を解決するために、本発明は以下のような構成を備えることを特徴とする。
【００１０】
（１）  眼鏡フレームを装用した被検者の側方を撮像するための撮像素子を備える撮像光学系と、前記撮像素子によって、眼鏡作製に用いる眼鏡装用パラメータを測定するための側方画像を撮影する眼鏡パラメータ測定用撮影装置であって、前記撮像素子に対して被検者よりも後方に配置され、被検者の背景として前記眼鏡フレームとのコントラストを高める背景部材を備えることを特徴とする。
【図面の簡単な説明】
【００１１】
【図１】本実施形態の眼鏡パラメータ測定用撮影装置の概略構成を示す図である。
【図２】遠用検査時の光学配置を示す断面図である。
【図３】本実施形態の顔支持ユニットの概略構成を示す図である。
【図４】本実施形態の顔支持ユニットの動作を説明するための図である。
【図５】本実施形態の光学系移動ユニットの概略構成を示す図である。
【図６】本実施形態のミラー遮蔽ユニットの概略構成を示す図である。
【図７】本実施形態の側方撮像光学系を説明するための概略構成図である。
【図８】本実施形態の側方撮像光学系によって撮影された画像の一例を示す図である。
【図９】本実施形態の制御系を示すブロック図である。
【図１０】表示部に表示される画面の一例を示す図である。
【図１１】近用検査時の光学配置を示す図である。
【図１２】近用検査における作業距離の変更を説明するための図である。
【図１３】本実施形態の画像処理方法の一例を示す図である。
【図１４】本実施形態の画像処理方法の一例を示す図である。
【図１５】本実施形態の第１変容形態を説明するための図である。
【図１６】本実施形態の第２変容形態を説明するための図である。
【図１７】本実施形態の第３変容形態を説明するための図である。
【図１８】本実施形態の側方撮像光学系の変容形態を説明するための図である。
【図１９】本実施形態の近用測定光学系の一部を示す図である。
【発明を実施するための形態】
【００１２】
＜概要＞
本発明の実施形態を図面に基づいて説明する。図１〜１９は、本実施形態または変容形態に係る図である。
【００１３】
＜光学系＞
本装置は、第１測定光学系（例えば、遠用測定光学系２００）と、第２測定光学系（例えば、近用測定光学系３００）と、側方撮像光学系５００と、を主に備える（図２、図７参照）。
【００１４】
第１測定光学系は、眼鏡フレームＦを装用した遠方視状態の被検者の正面画像を撮影するために用いられる。第２測定光学系は、眼鏡フレームＦを装用し、近方視状態の被検者の正面画像を撮影するために用いられる。本実施形態においては、第１測定光学系と第２測定光学系は、それぞれ独立して配置される。なお、全ての光学部材が独立して配置される必要はなく、一部の光学部材が共用される構成であってもよい。また、本装置は、例えば、被検者に対向して配置される窓（例えば、呈示窓３０）であって、第１測定光学系と第２測定光学系の両方の測定光（例えば、固視標光及び撮像光）を通過する窓を備えていてもよい。
【００１５】
＜第１測定光学系＞
第１測定光学系は、例えば、遠用固視標（例えば、光源２２０）と、第１の撮像素子２１０と、を主に備える（図２参照）。遠用固視標は、被検者を遠方視状態で固視させる。第１の撮像素子２１０は、遠用固視標によって遠方視状態に設定された被検者の両眼部、及び被検者に装用された眼鏡フレームＦを撮像する。
【００１６】
第１測定光学系２００は、遠用固視標を正面方向から被検眼に導くと共に、両眼部を含む被検者からの光を第１の撮像素子２１０に導く。第１測定光学系を用いて眼鏡装用パラメータを測定するための光路を第１光路（例えば、光軸Ｌ１）とする。ここで、正面方向というのは、必ずしも水平視の方向ではない。水平視の方向から少し傾いた方向でもよい。
【００１７】
また、第１測定光学系は、凹面鏡（例えば、凹面ミラー２４０）を備えてもよい。凹面鏡は遠用固視標からの光を被検眼Ｅに向けて反射するとともに、両眼部を含む被検者からの光を第１の撮像素子２１０に向けて反射する。凹面鏡は、被検眼に対する遠用固視標の見かけの距離が、少なくとも３ｍ以上、より好ましくは１０ｍ以上に設定されてもよい。
【００１８】
＜第２測定光学系＞
第２測定光学系は、例えば、近用固視標（例えば、光源３２０）と、第２の撮像素子３１０と、を主に備える（図２参照）。近用固視標は、被検者を近方視状態で固視させる。第２の撮像素子３１０は、近用固視標によって近方視状態に設定された被検者の両眼部、及び被検者に装用された眼鏡フレームＦを撮影する。近用固視標と第２の撮像素子３１０は、遠用固視標と第１の撮像素子２１０とは独立して設けられる。
【００１９】
第２測定光学系は、近用固視標を斜め下方向から被検眼Ｅに導くと共に、両眼部を含む被検者からの光を第２の撮像素子３１０に導く。第２測定光学系を用いて眼鏡装用パラメータを測定するための光路を第２光路（例えば、図１１に示す光軸Ｌ２）とする。
【００２０】
なお、本装置１は、遠方視測定でも近方視測定でも常に固視標光源から角膜までの距離と、角膜から絞り３１４（絞り２１４）までの光学的な距離が同じである。よって、固視標に誘導された被検眼Ｅの視線Ｓと、絞りと瞳孔中心を結ぶ主光線Ｌａとが一致する（図１９参照）。その結果、正面画像を用いて、レンズ上の視線が通過する位置を求めるときに補正計算をする必要が必ずしもなくなる。厳密に視線Ｓと主光線Ｌａが一致する必要はない。補正計算が必要ない程度に略一致すればよい。
【００２１】
＜光路切換ユニット＞
上記装置１には、さらに、光路切換ユニット４００が設けられてもよい（図２参照）。光路切換ユニット４００は、例えば、第１光路と、第２光路と、を光学的に切り換える。
【００２２】
光路切換ユニット４００は、例えば、光学部材（例えば、反射ミラー４１０）と、移動機構部４３０と、駆動部４４０と、を主に備える。光学部材は、第１光路と、第２光路と、の中に配置可能に設けられる。移動機構部は、駆動部４４０から受けた駆動力によって、光学部材を移動させる。移動機構部は、例えば、リンク機構、ラック・ピニオン機構、ネジ機構など、種々の伝達機構が利用できる。駆動部４４０は、例えば、モータなど、種々の駆動ユニットが利用できる。
【００２３】
光路切換ユニット４００は、例えば、移動機構部、駆動部４４０を用いて光学部材を移動させることによって、第１光路と、第２光路と、を光学的に切り換える。
【００２４】
なお、光学部材は、反射光学部材でもよい。反射光学部材は、例えば、被検眼の眼前であって第１測定光学系及び第２測定光学系の共通光路に配置される。駆動部４４０は、反射光学部材の傾斜角度を変更する。
【００２５】
光路切換ユニット４００は、例えば、駆動部４４０の駆動によって反射光学部材の傾斜角が切り換えられ、第１光路と第２光路とが光学的に切り換えられてもよい。
【００２６】
＜視線方向の回旋＞
上記装置１には、さらに、回旋ユニット（例えば、光偏向ユニット及び駆動部４４０）を備えてもよい（図２参照）。回旋ユニットは、光偏向ユニット（例えば、反射ミラー４１０）を駆動部４４０によって駆動させることで、被検眼Ｅの視線方向を上下方向に移動させる。
【００２７】
光偏向ユニットは、例えば、第２測定光学系の光路中に配置され、第２測定光学系の測定光軸である第２測定光軸を上下方向に偏向させる。
【００２８】
なお、偏向ユニットとしては、反射ミラー４１０に限らない。例えば、プリズムなど、光軸を偏向させることができればよい。
【００２９】
＜補正ユニット＞
上記装置１には、さらに補正ユニット（例えば、光学系移動ユニット３５０）が設けられる（図２、図５参照）。補正ユニットは、光偏向ユニットによって第２測定光軸が上下方向に移動される際、第２光路の光路長が等しくなるように、第２測定光学系の少なくとも一部を移動させる。補正ユニットは、例えば、第２移動支基３５３と、第２駆動部３５７を主に備える。第１移動支基３５３は、第２測定光学系の少なくとも一部（例えば、近用固視標及び第２の撮像素子３１０、凸レンズ３４０）を保持する。補正ユニットは、例えば、第２駆動部３５７を駆動させることによって第２移動支基３５３を移動させる。
【００３０】
＜距離可変ユニット＞
上記装置１は、さらに、距離可変ユニット（光学系移動ユニット３５０）が設けられる（図５参照）。距離可変ユニットは、例えば、第２測定光学系の少なくとも一部を移動させ、近用固視標の光学的な呈示距離を変更する。距離可変ユニットは、例えば、第１移動支基３５２と、第１駆動部３５６と、を主に備える。第１移動支基３５２は、例えば、第２測定光学系の少なくとも一部（例えば、近用固視標及び第１の撮像素子２１０）を保持する。距離可変ユニットは、例えば、第１駆動部３５６を駆動させることによって、第１移動支基３５２を移動させる。
【００３１】
第１測定光学系、第２測定光学系の少なくともいずれかは、撮像素子よりも前に配置される絞り２１４、絞り３１４を光路中に備えていてもよい。絞り２１４、絞り３１４は、例えば、被検眼に対する固視標の光学的な呈示距離と、被検眼に対する絞りの光学的な距離が等しくなるように配置されていてもよい。なお、専用の絞りを配置する必要は必ずしもなく、撮像素子の前に配置されるレンズを絞りとして用いるようにしてもよい。
【００３２】
また、本装置は、以下のような距離可変ユニットを備えていてもよい。その距離可変ユニットは、例えば、呈示距離が変更された場合において、被検眼に対する固視標の光学的な呈示距離と、被検眼に対する絞りの光学的な距離が等しくなるように、被検眼に対する絞りの光学的な距離を変更してもよい。
【００３３】
例えば、前述の距離可変ユニットは、近用固視標の呈示距離が変更された場合において、被検眼に対する近用固視標の光学的な呈示距離と、被検眼に対する絞りの光学的な距離が等しくなるように、前記被検眼に対する絞りの光学的な距離を変更可能であってもよい（図１１参照）。
【００３４】
なお、固視標の呈示距離に対応する被検眼に対する絞りの位置制御について、第１測定光学系と第２測定光学系とのが独立して配置されていない装置においても適用可能である。例えば、第１測定光学系と第２測定光学系において同一の撮像素子、同一の固視標が用いられる場合においても適用可能である。
【００３５】
＜ミラー遮蔽板＞
上記装置１は、さらに、遮蔽部材（例えば、遮蔽板４５０）が設けられる（図６参照）。遮蔽部材は、例えば、反射光学部材への被検者の顔の映り込みを回避するために、反射光学部材と被検者との間に配置可能とされる。
【００３６】
＜顔支持ユニット＞
上記装置１は、さらに、固視標投影光学系（例えば、固視標投影光学系２００Ａまたは固視標投影光学系３００Ａ）と、撮像光学系（例えば、撮像光学系２００Ａまたは撮像光学系２００Ｂ）と、顔支持ユニット３０と、備えてもよい（図２、３参照）。
【００３７】
固視標投影光学系２００Ａ，３００Ａは、被検者を固視させるための固視標を被検眼に導く。撮像光学系２００Ｂ，３００Ｂは、被検者を撮像するための撮像素子（例えば、撮像素子２１０，又は撮像素子３１０）を備え、左右眼を含む被検者からの光を撮像素子２１０，３１０に導く。
【００３８】
＜調節ユニット＞
顔支持ユニット３０は、調整ユニット（例えば、左右回転調節部５０）を主に備えてもよい（図３参照）。調整ユニットは、撮像光学系によって同時に撮像される被検眼又は眼鏡フレームの左右を、撮像光学系の撮像光軸に対して垂直な関係に配置するために、撮像光学系に対する被検者の左右眼の傾きを調整可能とする。
【００３９】
また、顔支持ユニット３０は、当接部３１を備えてもよい。当接部３１は、被検者の額に当接する。顔支持ユニット３０は、被検者の顎が支持されていない状態で被検者の額を支持する額当機構であってもよい。
【００４０】
なお、調整ユニットは、顔支持ユニット３０に設けられた中心軸を回転中心として当接部３１を左右方向に回転させることによって、被検者の顔の振れを調整可能としてもよい。
【００４１】
なお、顔支持ユニット３０は、さらに、第２調整ユニットを備えてもよい。第２調整ユニットは、撮像光学系に対する前後方向における被検者の左右眼の位置を調整可能とする。
【００４２】
＜側方撮像光学系＞
上記装置１は、撮像光学系（例えば、側方撮像光学系５００）と、背景部材（例えば、背景部材５８０Ｌ又は５８０Ｒ）と、を備えてもよい（図７参照）。撮像光学系は、撮像素子（例えば、撮像素子５７０Ｌ又は５７０Ｒ）を主に備える。撮像素子は、眼鏡フレームを装用した被検者の側方画像を撮影する。側方画像は、眼鏡作製に用いる眼鏡装用パラメータを測定するために用いられる。
【００４３】
背景部材は、上記装置１に取り付けられている。背景部材は、撮像素子に対して被検者よりも後方に配置され、被検者の背景として眼鏡フレームとのコントラストを高める。
【００４４】
なお、背景部材は、被検者の背景として眼鏡フレームとのコントラストを高める背景色に施されてもよい。また、背景部材は、黒色よりも明るい背景色を有する背景部材であってもよい。
【００４５】
＜画像処理手段＞
なお、上記装置１は、さらに、画像処理手段（例えば、制御部７００）を備えてもよい。画像処理手段は、側方画像から眼鏡フレームを画像処理によって識別する。
【００４６】
＜背景部材を照明する照明光源＞
なお、上記装置１は、さらに、照明光源（例えば、調節光源５９０Ｌ、又は５９０Ｒ）をさらに備えてもよい。照明光源は、背景部材を照明する。背景部材は、照明光源からの照明光によって、被検者の背景として眼鏡フレームとのコントラストを高める背景色を形成する。照明光源（例えば、調節光源５９０Ｌ、又は５９０Ｒ）は、背景部材に向けて照明光を照射してもよい。
【００４７】
なお、背景部材は、照明光の反射によって背景色を形成してもよいし、または背景部材に対する背面照射によって背景色を形成してもよい。その背景色は、画像処理手段によって眼鏡フレームＦとの識別が可能な背景色であってもよい。
【００４８】
＜照度調節手段＞
なお、上記装置１は、さらに、照度調節手段（例えば、制御部７００）を備えてもよい。照度調節手段は、照明光源によって照明される背景部材の照度を調節する。照度調節手段によって、背景部材の照度を調節されることで、撮像素子は、背景の明るさが異なる側方画像を撮像できる。
【００４９】
照度調節手段は、検者が眼鏡フレームＦを視認できなかった場合、背景部材の照度を変更してもよい。もちろん、照度調整手段は、画像処理手段によって眼鏡フレームＦが識別できなかった場合に、背景部材の照度を変更してもよい。
【００５０】
なお、画像処理手段は、背景の明るさが異なる少なくとも２枚以上の側方画像から、背景部材と眼鏡フレームＦとを識別してもよい。
【００５１】
＜実施形態＞
以下、本実施形態を図面に基づいて説明する。なお、以下の説明において、被検者の左右方向をＸ軸方向、被検者の上下方向をＹ軸方向、被検者の前後方向をＺ軸方向として説明する。図１は本実施形態に係る眼鏡パラメータ測定用撮影装置１の構成を説明するための図である。図２は、遠用測定時における本実施形態の眼鏡パラメータ測定用撮影装置１をＹＺ平面で切ったときの断面図である。
【００５２】
＜外観構成＞
図１を参照して、本実施形態に係る眼鏡パラメータ測定用撮影装置１の外観の概略構成について説明する。本実施形態の眼鏡パラメータ測定用撮影装置１は、筐体１０を備える。筐体１０の内部には、後述する種々の測定光学系、駆動系、制御系等が備わる。筐体１０の被検者側には呈示窓２０が備わる。呈示窓２０は、被検者に固視標を呈示する際に、固視光束を通過させる窓である。同じく筐体１０の被検者側には顔支持ユニット３０が備わる。顔支持ユニット３０は、被検者の顔を支持するためのユニットである。顔支持ユニット３０についての詳細は後述する。筐体１０の検者側には操作ユニット６００が備わる。
【００５３】
＜操作ユニット＞
操作ユニット６００は、入力された操作指示に応じた信号を後述する制御部７００に出力する。本実施形態の操作ユニット６００は、タッチパネル式の表示部６１０（図２参照）を備える。もちろん、操作ユニット６００には、例えば、マウス、ジョイスティック、キーボード等の操作手段の少なくともいずれかを用いてもよい。表示部６１０は、眼鏡パラメータ測定用撮影装置１の本体に搭載されたディスプレイであってもよいし、本体に接続されたディスプレイであってもよい。もちろん、タッチパネル式でなくともよい。例えば、パーソナルコンピュータ（以下、「ＰＣ」という。）のディスプレイを用いてもよい。複数のディスプレイが併用されてもよい。表示部６１０には、眼鏡パラメータ測定用撮影装置１によって撮影された遠方視及び近方視状態の正面画像又は側方画像を含む各種画像、または測定結果が表示される。
【００５４】
＜顔支持ユニット＞
顔支持ユニット３０は、被検者の顔を支持する。そして、顔支持ユニット３０は、後述する測定光学系（例えば、遠用測定光学系２００，近用測定光学系３００，反射ミラー４１０等）と被検者との距離を一定にする。また、顔支持ユニット３０は、中心軸３５ａを中心に被検者の左右方向に回転可能であり、被検者の顔の向きを調整することができる。本実施形態においては、被検眼Ｅ又は眼鏡フレームＦの左右を結ぶ面（線とも解釈されうる）を後述する撮像光学系２００Ｂ，３００Ｂの撮像光軸に対して垂直な関係に配置する。これによって、被検者の顔の向きが左右方向のいずれかにずれている場合、被検者の顔が正面を向くように、顔支持ユニット３０を回転させることができる。
【００５５】
図３は、本実施形態における顔支持ユニット３０の概略構成図である。図３（ａ）は、図１に示す方向Ｄ１から見たときの顔支持ユニット３０の斜視図である。図３（ｂ）は、図３（ａ）に示す方向Ｓから見たときの顔支持ユニット３０の斜視図を示す。図４は本実施形態における顔支持ユニット３０の動作を説明するための図である。
【００５６】
顔支持ユニット３０は、当接部３１、回転支基３２、移動支基３３、保持部３４、作動距離調節部４０、左右回転調節部５０を主に備える。
【００５７】
以下、顔支持ユニット３０が主に備える各構成の関係について図３に基づいて説明する。当接部３１は、被検者の顔に接触する部分である。本実施形態の当接部３１は、装置側から被検者側に向かって広がった形状を有する。例えば、当接部３１は、少なくとも２点で額を支持できるように形成されている。なお、当接部３１の形状は、直線形状に限定されず、額に沿った曲線形状であってもよい。
【００５８】
当接部３１は、左当接部３１Ｌと、右当接部３１Ｒと、を備える。左当接部３１Ｌは額の左側部分を支持し、右当接部３１Ｌは額の右側部分を支持する。左当接部３１Ｌと右当接部３１Ｒは、それぞれ別々の部材であってもよいし、一体的に形成された部材であってもよい。
【００５９】
当接部３１によって被検者の顔は支持される。当接部３１は回転支基３２に固定される。回転支基３２は、ピン３５によって移動支基３３に保持される。回転支基３２は、ピン３５の中心軸３５ａを中心として、移動支基３３に対して左右方向に回旋可能とされる。また、回転支基３２にはピン３６によって連結部材３２ａが連結される。連結部材３２ａは、ピン３６の中心軸３６ａを中心として、回転支基３２に対して左右方向に回旋可能とされる。移動支基３３には、雌ネジ部３３ｎが形成された穴３３ａが備わる。
【００６０】
以下、作動距離調節部４０の構成について説明する。作動距離調節部４０は、被検者と後述の測定光学系との距離を調節するために当接部３１の位置をＺ軸方向に調節する。作動距離調節部４０は、例えば、Ｚ軸方向に延びるガイド軸に沿って、当接部３１をＺ軸方向に移動させてもよい。
【００６１】
より詳細には、作動距離調節部４０は、調節ノブ４１、回転シャフト４２、傘歯車４３、傘歯車４４、回転シャフト４５（図３（ｂ）参照）、歯車４６、歯車４７、送りネジ４８を主に備える。
【００６２】
調節ノブ４１は、回転シャフト４２の一方の端部に連結されている。回転シャフト４２は、図示無きすべり軸受けによって保持部３４に回転可能に保持される。回転シャフト４２のもう一方の端部には傘歯車４３が固定されている。傘歯車４３は、傘歯車４４と噛み合っている。傘歯車４４は回転シャフト４５（図３（ｂ）参照）の一方の端部に固定されている。回転シャフト４５のもう一方の端部には歯車４６が固定されている。歯車４６は歯車４７と噛み合っている。歯車４７の中央の穴４７ａには雌ネジが形成されている。穴４７ａは、送りネジ４８の周囲に形成された雄ネジと噛み合っている。送りネジ４８の一方の端部は移動支基３３に固定されている。
【００６３】
以下、作動距離調節部４０によって顔支持ユニット３０を調節するときの動作を、図３及び図４によって説明する。図４（ａ）は調節ノブ４１を回転させた前の状態を示す。図４（ｂ）は調節ノブ４１を回転させた後の状態を示す。図４（ａ）の状態から調節ノブ４１が回転されると、回転シャフト４２（図３参照）、傘歯車４３がともに回転される。そして、傘歯車４３が回転されると、傘歯車４３に噛み合う傘歯車４４が回転される。傘歯車４４が回転されると、回転シャフト４５、歯車４６がともに回転される。歯車４６が回転されると、歯車４６に噛み合う歯車４７が回転される。歯車４７が回転されると、穴４７ａに螺合する送りネジ４８は、図４（ｂ）に示すように歯車４６の回転軸方向、つまりＺ軸方向（作動距離方向）に移動される。送りネジ４８が移動されると、送りネジ４８に固定される移動支基３３も同様にＺ軸方向に移動する。そして移動支基３３が移動されると、移動支基３３に保持される回転支基３２、回転支基３２に固定される当接部３１もＺ軸方向に移動する。もちろん、調節ノブ４１の回転方向を反対にすると、当接部３１の移動する方向も反対になる。このように、顔支持ユニット３０は、検者による調節ノブ４１への操作に応じて当接部３１のＺ軸方向（作動距離方向）の位置を調節することができる。
【００６４】
なお、上記の機構の他、例えば、ラック・ピニオン機構またはリンク機構を用いて作動距離方向の位置を調節するようにしてもよい。
【００６５】
以下、左右回転調節部５０について図３に基づいて説明する。水平回旋調節部５０は、被検者の顔が正面を向くように、当接部３１の左右方向の角度を調節する。水平回転調節部５０は、顔支持ユニット３０に設けられた中心軸３５ａを回転中心として、当接部３１を回転させる。中心軸３５ａは、例えば、左当接部３１Ｌと、右当接部３１Ｒの間の中心に設けられる。その他、例えば、中心軸３５ａが額の前に配置されることによって、顔の向きが容易に調整される。
【００６６】
より詳細には、水平回旋調節部５０は、調節ノブ５１、回転シャフト５２、傘歯車５３、傘歯車５４、回転シャフト５５（図３（ｂ）参照）、歯車５６、歯車５７、回転シャフト５８を主に備える。
【００６７】
調節ノブ５１は、回転シャフト５２の一方の端部に連結されている。回転シャフト５２は、図示無きすべり軸受けによって保持部３４に回転可能に保持される。回転シャフト５２のもう一方の端部には傘歯車５３が固定されている。傘歯車５３は、傘歯車５４と噛み合っている。
【００６８】
傘歯車５４は回転シャフト５５の一方の端部に固定されている。回転シャフト５５のもう一方の端部には歯車５６が固定されている。歯車５６は歯車５７と噛み合っている。歯車５７の中央には溝５７ｋを有する穴５７ａが開いている。回転シャフト５８は、凸部５８ｋが形成された領域Ｋ（図４参照）と、雄ネジ部５８ｎが形成された領域Ｎ（図４参照）を有する。回転シャフト５８の領域Ｋは、凸部５８ｋが溝５７ｋに収まるよう穴５７ａに摺動可能に保持される。回転シャフト５８の領域Ｎの雄ネジ部５８ｎは、移動支基３３の穴３３ａに形成された雌ネジ部３３ｎと螺合する。回転シャフト５８の領域Ｎ側の端部は、図示無きすべり軸受けによって連結部材３２ａ連結される。
【００６９】
以下、水平回旋調節部５０によって顔支持ユニット３０を調節するときの動作を図３及び図４によって、説明する。
【００７０】
図４（ａ）の状態から調節ノブ５１が回転されると、回転シャフト５２（図３参照）、傘歯車５３がともに回転される。そして、傘歯車５３が回転されると、傘歯車５３と噛み合う傘歯車５４が回転される。傘歯車５４が回転されると、回転シャフト５５、歯車５６がともに回転される。歯車５６が回転されると、歯車５６と噛み合う歯車５７が回転される。歯車５７が回転されると、溝５７ｋから凸部５８ｋに回転力が伝達され、回転シャフト５８が回転する。回転シャフト５８は、穴３３ａの雌ネジ部３３ｎと螺合している。そのため、回転シャフト５８が回転されるとともに雄ネジ部５８ｎが雌ネジ部３３ｎに対して摺動される。また、溝５７ｋに対して凸部５８ｋが摺動される。これによって、回転シャフト５８は、図４（ｃ）に示すように、回転シャフト５８の回転軸方向、つまりＺ軸方向に移動される。回転シャフト５８が移動されると、回転シャフト５８に連結される連結部材３２ａも同様にＺ軸方向に移動する。連結部材３２ａが移動されると、それと連結された回転支基３２の端部はＺ軸方向に移動しようとする。ただし、回転支基３２の中央部はピン３５によって移動支基３３に保持されている。そのため、回転支基３２の連結部材側の端部がＺ軸方向に移動しようとすると、回転支基３２は中心軸３５ａを中心として左右方向に回旋する。回転支基３２が旋回することによって、回転支基３２に固定された当接部３１も中心軸３５ａを中心として左右方向に回旋する（図４（ａ）（ｃ）参照）。もちろん、調節ノブ５１の回転方向を反対にすると、当接部３１の回旋方向も反対になる。
【００７１】
このように、顔支持ユニット３０は、検者による調節ノブ５１への操作に応じて、当接部３１の左右方向の位置を調節することができる。
【００７２】
なお、上記の機構の他、例えば、ラック・ピニオン機構またはリンク機構を用いて左右方向の角度を調節するようにしてもよい。
【００７３】
なお、顔支持ユニット３０は本実施形態の構成に限定されない。本実施形態においては、被検者の額を支持する額当機構として説明したが、被検者のあごでもよいし、頬、鼻などでもよい。被検者の顔を支持する構成であればよい。
【００７４】
また、本実施形態の顔支持ユニット３０は、検者が調節ノブ４１，５１を操作することによって、当接部３１の位置を調節するものと説明したがこれに限らない。顔支持ユニット３０は、モータ等の駆動部を有し、ボタンの操作等によって、電動で当接部３１の位置を調節してもよい。また、センサや画像処理等で顔の傾きを検出し、自動で当接部３１の位置を調節してもよい。
【００７５】
以上のように、本実施形態の眼鏡パラメータ測定用撮影装置１は、被検者の顔の向く方向を左右方向に回旋可能な顔支持ユニット３０を備える。
【００７６】
次に、図２を参照して、本実施形態に係る眼鏡パラメータ測定用撮影装置１の内部の概略構成について説明する。本実施形態の眼鏡パラメータ測定用撮影装置１は、照明光学系１００、遠用測定光学系２００、近用測定光学系３００、光路切換ユニット４００と、側方撮像光学系５００、制御部７００とを主に備える。
【００７７】
＜照明光学系＞
図１に戻り、照明光学系１００について説明する。照明光学系１００は、４つの光源１１０Ｒ，１１０Ｌ，１１１Ｒ，１１Ｌを主に備える。照明光学系１００は、光源１１０Ｒ，１１０Ｌ，１１１Ｒ，１１１Ｌによって、被検者の顔を照明する。光源１１０Ｒは被検者顔面の右上方に配置され、光源１１０Ｌは被検者顔面の左上方に配置される。光源１１１Ｒは、被検者顔面の右下方に配置され、光源１１１Ｌは、被検者顔面の左下方に配置される。４つの光源１１０Ｒ，１１０Ｌ，１１１Ｒ，１１１Ｌは、四方向から被検者の顔面を照明する。もちろん、照明光学系１００は上記の構成に限らない。光源の数はいくつでもよく、配置も任意でよい。照明光学系１００は、光源によって被検者の顔を照明することができればよい。例えば、照明光学系１００は、顔支持ユニット３０の下部、呈示窓２０の上部に設けられてもよい。
【００７８】
なお、本実施形態の照明光学系においては、赤外光源を用いる。赤外光源と、後述する赤外フィルタ等を用いることによって、外乱光（室内の照明、可視光など）の影響を抑えることができる。ただし、赤外光源でなくともよく、可視光源を用いてもよい。
【００７９】
＜遠用測定光学系＞
図２に基づいて、遠用測定光学系（以下、第１測定光学系ともいう）２００について説明する。遠用測定光学系２００は、眼鏡フレームＦに対する遠方視状態における被検眼Ｅの眼位置を測定するための光学系である。遠用測定光学系２００は、第１の固視標投影光学系２００Ａと第１の撮像光学系２００Ｂに分けられる。なお、遠用測定光学系２００の測定光軸を光軸Ｌ１とする。
【００８０】
固視標投影光学系２００Ａは、被検者を遠方視状態で固視させるための遠用固視標を被検眼Ｅに投影する。固視標投影光学系２００Ａは、光源２２０、ハーフミラー２３０、凹面ミラー２４０を主に備える。光源２２０は、被検眼Ｅに投影される遠用固視標として用いられる。凹面ミラー２４０は、光源２２０から出射される固視標光束を所定の呈示距離になるように反射する。
【００８１】
光源２２０からの出射された固視標光束は、ハーフミラー２３０によって反射され、光軸Ｌ１と同軸とされる。ハーフミラー２３０によって反射された固視標光束は、凹面ミラー２４０によって反射される。凹面ミラー２４０に反射された固視標光束は、後述する反射ミラー４１０によって反射され、呈示窓２０を通過する。そして、固視標光束は正面方向から被検眼Ｅに入射される。
【００８２】
凹面ミラー２４０は、固視標が遠用の呈示距離になるように固視標光束を反射する。このため、被検者から見た固視標は、被検眼Ｅから光源２２０までの実際の距離よりも遠くに見える。本実施形態においては、人間の常用視線を考慮し、遠用固視標までの見かけの距離が１５ｍになるように設定される。ここで、人間の常用視線とは、例えば、人間が遠方を見るときの視線は、水平視の方向から５度程度下を向いている。そして、１０〜２０ｍ前方の地面を見ている。従って、遠用固視標までの見かけの距離は１０ｍ以上に設定されることが好ましい。
【００８３】
なお、遠用固視標までの見かけの距離は、１５ｍに限らない。例えば、少なくとも３ｍ以上に設定されればよい。
【００８４】
撮像光学系２００Ｂは、遠方視状態における被検者の顔を正面方向から撮影する。なお、被検者の顔を撮影するとは、被検者の顔全体を撮影しなくともよい。少なくとも被検者の両眼部、及び被検者に装用された眼鏡フレームを撮影できればよい。撮像光学系２００Ｂは、撮像素子２１０、撮像レンズ２１２、絞り２１４、赤外フィルタ２１６、ハーフミラー２３０、凹面ミラー２４０を主に備える。
【００８５】
被検者の顔を照明する照明光学系１００からの照明光は、呈示窓２０を通過し、反射ミラー４１０によって反射される。反射ミラー４１０によって反射された反射光は凹面ミラー２４０によって反射される。この反射光は、ハーフミラー２３０を通り、赤外フィルタ２１６を通過する。赤外フィルタ２１６を通過した赤外光は、絞り２１４を通過し、撮像レンズ２１２によって収束された後、撮像素子２１０の上に像を結ぶ。撮像素子２１０は、光を検出し、そのときの検出信号を制御部７００に出力する。なお、本実施形態において、角膜頂点と撮像素子２１０とは共役な位置関係に配置される。また、光源２２０から角膜頂点までの光学的な距離と、角膜頂点から絞り２１４までの光学的な距離が等しくなるように配置される。後述する近用測定光学系についても同様に配置される。
【００８６】
なお、凹面ミラー２４０によって反射された光束を撮像素子２１０で撮像する場合、撮像された画像の周辺部が歪んで見える場合がある。これは、凹面ミラー２４０が、周辺部ほど傾斜の大きい形状になっているからである。この場合、制御部７００は、凹面ミラー２４０の形状を考慮して、取得された画像の歪みを画像処理によって補正してもよい。
【００８７】
また、傾斜した反射ミラー４１０によって反射された光束を撮像素子２１０で撮像する場合、撮像された画像が台形に歪んで見える場合がある。この場合、制御部７００は、反射ミラー４１０の傾斜角を考慮して、撮像された画像の歪みを画像処理によって補正してもよい。もちろん、反射ミラー４１０の傾斜角が変更されるたびに、補正量を変更するようにしてもよい。
【００８８】
なお、赤外フィルタ２１６とハーフミラー２３０は、図示無きコールドミラーで代用してもよい。コールドミラーとは、例えば、赤外光を透過し可視光を反射する光学薄膜をつけた鏡である。後述する近用測定光学系についてもコールドミラーを用いることができる。
【００８９】
なお、凹面ミラー２４０の代わりに、コリメータレンズや、凸レンズ等を用いる構成でもよい。
【００９０】
＜近用測定光学系＞
近用測定光学系（以下、第２測定光学系ともいう）３００は、近方視状態における被検眼Ｅの眼位置を測定するための光学系である。近用測定光学系３００は、第２の固視標投影光学系３００Ａと第２の撮像光学系３００Ｂに分けられる。
【００９１】
固視標投影光学系３００Ａは、被検者を近方視状態に固視させるための近用固視標を被検眼Ｅに投影する。固視標投影光学系３００Ａは、光源３２０、ハーフミラー３３０、凸レンズ３４０を主に備える。光源３２０は、被検眼Ｅに投影される固視標として用いられる。
【００９２】
光源３２０からの出射された固視標光束は、ハーフミラー３３０によって反射され、光軸Ｌ２と同軸とされる。ハーフミラー３３０によって反射された固視標光束は、凸レンズ３４０を通過し、収束される。その後、固視標光束は、後述の反射ミラー４１０によって反射され、呈示窓２０を通過して被検眼Ｅに入射する。
【００９３】
撮像光学系３００Ｂは、近方視状態における被検者の顔を正面方向から撮影する。撮像光学系３００Ｂは、撮像素子３１０、撮像レンズ３１２、絞り３１４、赤外フィルタ３１６、ハーフミラー３３０、凸レンズ３４０を主に備える。
【００９４】
被検者の顔を照明する照明光学系１００からの照明光は、呈示窓２０を通過し、反射ミラー４１０によって反射される。反射ミラー４１０によって反射された反射光は凸レンズを通過し、収束される。収束されたこの光束は、ハーフミラー３３０を通り、赤外フィルタ３１６を通過する。赤外フィルタ３１６を通過した赤外光は、絞り３１４を通過し、撮像レンズ３１２によって収束された後、撮像素子３１０の上に像を結ぶ。撮像素子３１０は、光を検出し、そのときの検出信号を制御部７００に出力する。
【００９５】
＜光学系移動ユニット＞
図５を参照して光学系移動ユニット３５０について説明する。光学系移動ユニット３５０は、近用測定光学系３００を移動可能に保持する。光学系移動ユニット３５０は、近用測定のときに、後述する反射ミラー４１０の角度の変更にともなって、近用測定光学系３００の全体を移動させることができる。
【００９６】
ところで、後述する光路切換ユニット４００によって反射ミラー４１０の角度が変更されると、固視標投影光学系３００Ａの光路（視標の呈示距離）、及び第２の撮像光学系３００Ｂの光路が変化してしまう。そこで、本実施形態の光学系移動ユニット３５０は、反射ミラー４１０の角度の変更にともなって、近用測定光学系３００の全体を移動させる。これによって、反射ミラー４１０の角度が変更された場合であっても、近用視標の呈示距離が維持される。また、第２の撮像光学系３００Ｂの被検眼Ｅに対するフォーカス状態が維持される。
【００９７】
また、光学系移動ユニット３５０は、近用固視標の呈示距離を調節するための凸レンズ３４０と、近用固視標を投影するための光源３２０を別々に移動させる。これによって、光学系移動ユニット３５０は、凸レンズ３４０と光源３２０の相対的な距離を変化させ、近用固視標の呈示距離を変更する。
【００９８】
光学系移動ユニット３５０は、保持部３５１、第１移動支基３５２、第２移動支基３５３、第１送りネジ３５４、第２送りネジ３５５、第１駆動部３５６、第２駆動部３５７、を主に備える。
【００９９】
保持部３５１は、第１移動支基３５２と第２移動支基３５３を一体的に摺動可能に保持する。第１移動支基３５２には、撮像素子３１０、撮像レンズ３１２（図２参照）、ハーフミラー３３０（図２参照）等が固定される。第２移動支基３５３には凸レンズ３４０、第１駆動部３５６が固定される。また、第２移動支基３５３は第１移動支基３５２を摺動可能に保持する。第１移動支基３５２は、第２移動支基３５３に設けられるスライド軸３５３ａに沿ってスライド（摺動）する。スライド軸３５３ａは第１移動支基３５２と第２移動支基３５３の相対距離を変更できる方向に延びる。第２移動支基３５３は第１移動支基３５２と一体的に、保持部３５１に備わるスライド軸３５１ａに沿ってスライド（摺動）する。スライド軸３５１ａは、第１移動支基３５２と一体的に移動する第２移動支基３５３と、反射ミラーとの相対距離が変更できる方向に延びている。
【０１００】
第１送りネジ３５４の上端は第２移動支基３５３の軸受け３５３ｂによって保持される。第１送りネジ３５４の下端は第１駆動部３５６の回転シャフト３５６ｓに連結される。第１移動支基３５２に固定されたナット３５２ａは第１送りネジ３５４と螺合している。第１駆動部３５６が駆動されると、回転シャフト３５６ａとともに第１送りネジ３５４が回転される。ナット３５２ａは、螺合する第１送りネジ３５４の回転によって、スライド軸３５３ａの延びる方向に移動される。第１移動支基３５２はナット３５２ａとともにスライド軸３５３ａの延びる方向に移動される。これによって、第１移動支基３５２に固定された撮像素子３１０、撮像レンズ３１２、絞り３１４、赤外フィルタ３１６、ハーフミラー３３０、光源３２０等は、スライド軸３５３ａの延びる方向に移動される。
【０１０１】
第２送りネジ３５５の上端は保持部３５１の軸受け３５１ｂに保持される。第２送りネジ３５５の下端は第２駆動部３５７の回転シャフト３５７ｓに連結される。第２移動支基３５３に固定されたナット３５３ｃは第２送りネジ３５５と螺合している。第２駆動部３５７が駆動されると、回転シャフト３５７ａとともに第２送りネジ３５５が回転される。ナット３５３ｃは、螺合する第２送りネジ３４６の回転によって、スライド軸３５１ａの延びる方向に移動される。第２移動支基３５３は、ナット３５３ｃとともにスライド軸３５１ａの延びる方向に移動される。これによって、第２移動支基３５３に固定された凸レンズ４３０は、スライド軸３５１ａの延びる方向に移動される。
【０１０２】
上記のように、光学系移動ユニット３５０は、第２測定光学系３００の少なくとも一部を移動させる補正ユニットとして機能する。なお、本実施形態においては、第２測定光学系３００の一部として、撮像素子３１０、撮像レンズ３１２、絞り３１４、赤外フィルタ３１６、光源３２０、ハーフミラー３３０を移動させる。
【０１０３】
＜光路切換ユニット＞
図２に戻って、光路切換ユニット４００について説明する。光路切換ユニットは遠用測定光学系２００と、近用測定光学系３００の光路を切り換える。
【０１０４】
また、光路切り換えユニット４００は、近用測定時における被検者の視線方向を変化させることができる。
【０１０５】
光路切換ユニット４００は、反射ミラー４１０、ミラー保持部４２０、リンク機構部４３０、駆動部４４０を主に備える。
【０１０６】
反射ミラー４１０は、ミラー保持部４２０によって被検者の眼前に保持される。ミラー保持部４２０の上部は、筐体１０に固定された回転シャフト４２５に保持される。ミラー保持部４２０は、回転シャフト４２５の回転軸Ｌ３を中心に回旋可能とされる。このとき、ミラー保持部４２０は、反射ミラー４１０と一体的に回旋される。反射ミラー４１０は、遠用測定光学系２００または近用測定光学系３００から出射される視標光束を被検眼Ｅに向けて反射させる。リンク機構部４３０の一端は、ミラー保持部４２０の裏面と連結され、他端は駆動部４４０の回転シャフト４４０ｓと連結される。
【０１０７】
後述する制御部７００によって駆動部４４０が駆動されると、駆動部４４０の駆動力は回転シャフト４４０ｓによってリンク機構部４３０に伝達される。そして、この駆動力はさらにリンク機構部４３０によってミラー保持部４２０に伝達される。
【０１０８】
ミラー保持部４２０は、リンク機構部４３０から伝達された駆動力によって回転シャフト４２５を中心に回転される。また、ミラー保持部４２０は、反射ミラー４１０と一体的に回転される。反射ミラー４１０が回転されることによって、視標光束の光路が変更され、被検眼Ｅに投影される固視標の呈示位置が変更される。固視標の呈示位置が変更されることで、被検者の視線方向が変更される。このように、光路切換ユニット４００は、反射ミラー４１０を回旋させることで固視標の呈示位置を変化させ、被検者の視線方向を変化させる。
【０１０９】
ここで、被検者のＺ軸方向と反射ミラー４１０の反射面との角度をミラー傾斜角度θとする。本実施形態においては、例えば、反射ミラー４１０は、ミラー傾斜角度θを４０°から８０°までの範囲の中で変えることができる。反射ミラー４１０の角度を可変とすることで、近方視状態において、Ｚ軸方向（０°）から下方に５０°まで被検者の視線方向を旋回させることができる。これによって、例えば、累進レンズの適正を、累進帯長を考慮して確認できる。なお、累進帯長とは、例えば、累進レンズにおいて遠用度数測定位置と近用度数測定位置の間で連続的に屈折力が変化する累進帯の長さをいう。
【０１１０】
＜ミラー遮蔽ユニット＞
ところで、遠方視状態または近用の水平視状態を測定するときは、反射ミラー４１０の全体を用いる。一方、近用の下方視状態を測定するときは、反射ミラー４１０の下部領域を用いることが多い。近用の下方視状態を測定するときは反射ミラー４１０の角度が鉛直に近づく。すると、被検者の顔または首などが反射ミラー４１０の上部領域に写り込み、被検者が測定に集中できない可能性がある。
【０１１１】
そこで、本実施形態の光路切り換えユニット４００には、ミラー遮蔽ユニット４５０が備えられる。ミラー遮蔽ユニット４５０は、近用の下方視状態を測定するとき、遮蔽部（例えば、後述する遮蔽板４５２）によって反射ミラー４１０の上方領域を遮蔽する。これによって、被検者の顔または首などが反射ミラー４１０に写り込むことを防ぐことができる。
【０１１２】
本実施形態の光路切換ユニット４００には、ミラー遮蔽ユニット４５０が備わる。
【０１１３】
図６は、本実施形態のミラー遮蔽ユニット４５０を説明するための図である。図６（ａ）は、ミラー遮蔽ユニット４５０を被検者側から見たときの概略図である。図６（ｂ）は、ミラー遮蔽ユニット４５０を被検者の反対側から見たときの概略斜視図である。
【０１１４】
遮蔽ユニット４５０は、保持部４５１、遮蔽板４５２、ラック４５２ａ，４５２ｂ、シャフト４５３、ピニオン４５４ａ，４５４ｂ、ピニオン４５５、弧状ラック４５６、ロック部４５７を主に備える。遮蔽板保持部４５１はミラー保持部４２０に固定される。なお、遮蔽板保持部４５１とミラー保持部４２０は一体であってもよい。
【０１１５】
遮蔽板保持部４５１は、遮蔽板４５２を摺動可能に保持するスライド溝４５１ａを備える。遮蔽板４５２は反射ミラー４１０の上部を遮蔽できるようにスライド溝４５１ａに収められる。ラック４５２ａ，４５２ｂは遮蔽板４５２の背面（被検者側）に固定される。
【０１１６】
シャフト４５３は遮蔽板保持部４５１に回転可能に保持される。ピニオン４５４ａ，４５４ｂは、シャフト４５３に固定され、それぞれラック４５２ａ（図６（ｂ）参照），４５２ｂと噛み合う。ピニオン４５５は、シャフト４５３に固定され、弧状ラック４５６と噛み合う。弧状ラック４５６は筐体１０に固定される。
【０１１７】
ロック部４５７は支基４５７ａ、回転部材４５７ｂ、ローラ４５７ｃ、連結ピン４５７ｄ、バネ４５７ｅ、爪４５７ｆを主に備える。ロック部４５７は、遮蔽板４５２を固定することで、重力によって遮蔽板４５２が下方にスライドすることを防ぐ。支基４５７ａは遮蔽板保持部４５１に固定される。回転部材４５７ｂの一方の端部にはローラ４５７ｃが回転可能に取り付けられる。回転部材４５７ｂのもう一方の端部は、ピン４５７ｄによって支基４５７ａに回転可能に取り付けられる。回転部材４５７ｂには爪４５７ｆが固定される。爪４５７ｆは、ラック４５２ａの歯に引っかかることで、遮蔽板４５２を固定する。回転部材４５７ｂは、バネ４５７ｅによって、爪４５７ｆがラック４５２ａの歯に引っかかる方向に付勢される。
【０１１８】
光路切換えユニット４００によって、反射ミラー４１０がＺ軸方向に対して４０°から５５°に旋回されると、ピニオン４５５は弧状ラック４５６の方向に円弧上の軌跡を描いて移動する。そして、ピニオン４５５が弧状ラック４５６に噛み合い始める。このとき、回転部材４５７ｂに取り付けられたローラ４５７ｃは、弧状ラック４５６の側面に接触する。そして、回転部材４５７ｂはバネ４５７ｅで付勢された方向とは反対方向に回転される。すると、回転部材４５７ｂに固定された爪４５７ｆがラック４５２ａら外れる。これによって、ラック４５２ａの固定が解除され、ラック４５２ａが固定されている遮蔽板４５２がスライド可能とされる。
【０１１９】
光路切換えユニット４００によって、反射ミラー４１０がＺ軸方向に対して５５°から８０°まで下方に回旋されるとき、ピニオン４５５は弧状ラック４５６と噛み合うことによって回転される。ピニオン４５５が回転されると、シャフト４５３及びピニオン４５４ａ，４５４ｂはともに回転される。ピニオン４５４ａ，４５４ｂが回転されることによって、ラック４５２ａに駆動力が伝達される。従って、ラック４５２ａが固定されている遮蔽板４５２に駆動力が伝達される。遮蔽板４５２は伝達された駆動力によって、遮蔽板保持部４５１のスライド溝４５１ａに沿って下方に摺動される。
【０１２０】
このように、反射ミラー４１０がＺ軸方向に対して５５°から８０°まで回旋されるとき、遮蔽板４５２は徐々に下方に移動される。反射ミラー４１０がＺ軸方向に対して８０°の位置まで回旋されるとき、遮蔽板４５２は、反射ミラー４１０の上部領域を遮蔽する。
【０１２１】
このように、本実施形態の眼鏡パラメータ測定用撮影装置１は、被検者と対面する反射部材（反射ミラー４１０）の一部を遮蔽するための遮蔽部材（例えば、遮蔽板４５２）を備えている。または、本実施形態の眼鏡パラメータ測定用撮影装置１は、近用測定時に、被検者と対面する反射部材（例えば、反射ミラー４１０）の一部を遮蔽するための遮蔽ユニット（例えば、ミラー遮蔽ユニット４５０）を備える。
【０１２２】
なお、ミラー遮蔽ユニット４５０は、上記の構成に限らない。例えば、遮蔽板４５２として反射ミラー４１０の被検者側にディスプレイが備えられてもよい。この場合、例えば、制御部７００は、ディスプレイにマスク表示をすることによって、近用測定時に反射ミラー４１０の上部領域を遮蔽してもよい。
【０１２３】
＜側方撮像光学系＞
図７を用いて側方撮像光学系５００の概略構成を説明する。側方撮像光学系５００は、被検者を側方から撮影することによって被検者の側方画像を取得する。本実施形態の側方撮像光学系５００は、被検者の左側に配置される左方撮像光学系５００Ｌと、被検者の右側に配置される右方撮像光学系５００Ｒに大別される。左方撮像光学系５００Ｌは被検者を左側方から撮影する。右方撮像光学系５００Ｒは、被検者を右側方から撮影する。
【０１２４】
左方撮像光学系５００Ｌ及び右方撮像光学系５００Ｒの概略構成について説明する。図７に示すように、左方撮像光学系５００Ｌは、筐体５１０Ｌ、撮影窓５２０Ｌ、ハーフミラー５３０Ｌ、赤外フィルタ５４０Ｌ、絞り５５０Ｌ、撮像レンズ５６０Ｌ、撮像素子５７０Ｌ、背景部材５８０Ｌ、調節光源５９０Ｌを主に備える。
【０１２５】
同様に、右方撮像光学系５００Ｒは、筐体５１０Ｒ、撮影窓５２０Ｒ、ハーフミラー５３０Ｒ、赤外フィルタ５４０Ｒ、絞り５５０Ｒ、撮像レンズ５６０Ｒ、撮像素子５７０Ｒ、背景部材５８０Ｒ、調節光源５９０Ｒを主に備える。なお、説明の便宜上、赤外フィルタ５４０Ｌ（５４０Ｒ）、絞り５５０Ｌ（５５０Ｒ）、撮像レンズ５６０Ｌ（５６０Ｒ）、撮像素子５７０Ｌ（５７０Ｒ）をまとめて、撮像部５７５Ｌ（５７５Ｒ）と呼ぶ。
【０１２６】
筐体５１０Ｌ，５１０Ｒは、それぞれ左方撮像光学系５００Ｌ、右方撮像光学系５００Ｒを覆う。そして、筐体５１０Ｌ，筐体５１０Ｒは、外乱光または衝撃等から側方撮像光学系５００を保護する保護部材として機能する。筐体５１０Ｌ，５１０Ｒは、筐体１０の左右に固定される。筐体５１０Ｌ，５１０Ｒの被検者側には、撮影窓５２０Ｌ，撮影窓５２０Ｒが備わり、光が通過できるようになっている。筐体５１０Ｌ，筐体５１０Ｒは、撮影窓５２０Ｌ，５２０Ｒが呈示窓２０よりも被検者側に飛び出すように配置される。
【０１２７】
赤外フィルタ５４０Ｌ，５４０Ｒは可視光を吸収し、赤外光を通過させる。撮像素子５７０Ｌ，５７０Ｒには、赤外フィルタ５４０Ｌ，５４０Ｒを通過した赤外光が受光される。
【０１２８】
背景部材５８０Ｌは、右方撮像光学系５００Ｒによって撮影される側方画像の背景となる。同様に、背景部材５８０Ｒは、左方撮像光学系５００Ｌによって撮影される側方画像の背景となる。背景部材５８０Ｌ，５８０Ｒとしては、例えば、反射部材、または通過した光を拡散させる拡散部材などが利用できる。
【０１２９】
一般的に、光の反射特性は眼鏡フレームＦの材質によって様々である。背景部材５８０Ｌ，５８０Ｒには、調節光源５９０Ｌ，５９０Ｒの光に対する反射率が眼鏡フレームＦに比べて大きい部材を用いるとよい。これによって、眼鏡フレームＦと背景画像のコントラストが大きくなる。なお、本実施形態の背景部材５８０Ｌ，５８０Ｒは、白板（白色の板）を使用する。
【０１３０】
なお、背景部材５８０Ｌ，５８０Ｒは、例えば、装置本体の側方部に取り付けられる。より詳細には、被検者の左右側方であって、装置本体の側方部に配置されてもよい。また、顔支持ユニット３０の側方部に取り付けられる。より詳細には、被検者の左右側方であって、顔支持ユニット３０の側方部であってもよい。また、背景部材５８０Ｌ，５８０Ｒは、装置本体に対して着脱可能であっても良い。また、背景部材５８０Ｌ，５８０Ｒは、移動アーム等によって装置本体に対して移動可能に取り付けられてもよい。
【０１３１】
背景部材５８０Ｌ，５８０Ｒが装置に取り付けられていることによって、部屋の色または外乱光の影響等に関係なく、前記眼鏡フレームＦのコントラストを高めることができる。
【０１３２】
調節光源５９０Ｌ，調節光源５９０Ｒは、それぞれ背景部材５８０Ｌ，背景部材５８０Ｒを照明し、側方画像の背景を明るくする。なお、側方画像の背景を明るくする光源は複数あってもよい。
【０１３３】
なお、本実施形態における調節光源５９０Ｌ，５９０Ｒには、赤外光源が用いられる。赤外光源と赤外フィルタを用いることによって、撮像レンズ等が外乱光によって照明され、側方画像に写ることを防ぐことができる。しかし、必ずしも赤外光源を用いる必要はない。可視光源等を用いてもよい。この場合、赤外フィルタは不要となる。
【０１３４】
本実施形態において、被検者の側方画像を撮影するときの側方撮像光学系５００の機能を説明する。ここでは、左方撮像光学系５００Ｌを例として説明する。まず、照明光学系１００からの照明光束は、被検者の顔と眼鏡フレームＦに反射される。反射された照明光束は、撮影窓５２０Ｌから筐体５１０Ｌの内部に入射する。その後、照明光束は、ハーフミラー５３０Ｌによって反射される。ハーフミラー５３０Ｌによって反射された反射光束は、赤外フィルタ５４０Ｌを通過する。赤外フィルタ５４０Ｌを通過した赤外光は、絞り５５０Ｌを通過した後、撮像レンズ５６０Ｌによって集光され、撮像素子５７０Ｌの撮像面上に像を結ぶ。撮像素子５７０Ｌは、検出した撮像画像を制御部７００に送信する。このようにして、撮像素子５７０Ｌ，５７０Ｒは、被検者の左右の側方画像を撮像する。
【０１３５】
続いて、側方画像に写る背景について説明する。以下の説明では、例として、左方撮像光学系５００Ｌによって撮影された側方画像の背景の場合について説明する。前述のように、左方撮像光学系５００Ｌによって撮影される側方画像の背景には背景部材５８０Ｒが写る。
【０１３６】
背景を明るくして側方画像を撮影する場合、制御部７００は、調節光源５９０Ｒを点灯することによって背景部材５８０Ｒを照明する。調節光源５９０Ｒの照明光束は、背景部材５８０Ｒによって反射される。背景部材５８０Ｒによって反射された照明光束は、ハーフミラー５３０Ｒ、呈示窓５２０Ｒを通過する。そして、被検者の前方を通過し、ハーフミラー５３０Ｌによって反射される。反射された光束は、撮像レンズ５６０Ｌによって撮像素子５７０Ｌの撮像面に集光される。
【０１３７】
このようにして、撮像素子５７０Ｌには、被検者の顔及び眼鏡フレームＦ、背景部材５８０Ｒが撮影される。同様に、撮像素子５７０Ｒには、被検者の側方及び背景部材５８０Ｌが撮影される。
【０１３８】
なお、本実施形態において、側方画像の背景として写り込むのは、例えば、次の２つが挙げられる。１つはハーフミラー５３０Ｌ，５３０Ｒによって反射される赤外フィルタ５４０Ｌ，５４０Ｒ、絞り５５０Ｌ，５５０Ｒ、撮像レンズ５６０Ｌ，５６０Ｒ、撮像素子５７０Ｌ，５７０Ｒ等を備える撮像部５７５Ｌ，５７５Ｒである。もう一つは、ハーフミラーを透過して写る背景部材５８０Ｌ，５８０Ｒである。このうち、撮像部５７５Ｌ，５７５Ｒは、照明されていないため、側方画像に暗い背景として写りこむ。背景部材５８０Ｌ，５８０Ｒはそれぞれ調節光源５９０Ｌ，５９０Ｒによって照明されているため、側方画像に明るく写り込む。従って、照明された背景部材５８０Ｌ，５８０Ｒは撮影部に比べて鮮明に側方画像に写り込む。
【０１３９】
なお、調節光源５９０Ｌ，調節光源５９０Ｒを消灯した場合、撮影される側方画像の背景は暗くなる。上記のように、制御部７００は、調節光源５９０Ｌ，調節光源５９０Ｒの光量を制御することによって、側方画像の背景の明るさを調節することができる。
【０１４０】
図８は、背景の明るさを調節したときの側方画像の様子を示す。図８（ａ）は、調節光源５９０Ｌ，５９０Ｒを消灯させて撮影したときの側方画像を示す。図８（ｂ）は、調節光源５９０Ｌ，５９０Ｒを点灯させて撮影したときの側方画像を示す。図８に示すように、調節光源５９０Ｌ，５９０Ｒを点灯させて、側方画像の背景を明るくすることによって、背景と眼鏡フレームＦとのコントラスト差が大きくなる。したがって、背景と眼鏡フレームＦとの境界を識別することが容易となる。
【０１４１】
＜制御部＞
図９は本実施形態の制御系を示すブロック図である。制御部７００は、ＣＰＵ（プロセッサ）、ＲＡＭ、ＲＯＭ等を備える。制御部７００のＣＰＵは、眼鏡装用パラメータ装置１の制御を司る。ＲＡＭは、各種情報を一時的に記憶する。制御部７００のＲＯＭには、眼鏡装用パラメータ装置１の動作を制御するための各種プログラム、初期値等が記憶されている。
【０１４２】
制御部７００には、不揮発性メモリ（以下、メモリに省略する）７２０、操作ユニット６００、照明光学系の光源１１０Ｌ，１１０Ｒ，１１１Ｌ，１１０Ｒ、光源２２０、光源２３０、撮像素子２１０，３１０，５７０Ｌ，５７０Ｒ、調節光源５９０Ｌ，５９０Ｒ、第１駆動部３５６、第２駆動部３５７、駆動部４４０、等が電気的に接続されている。メモリ７２０は、電源の供給が遮断されても記憶内容を保持できる非一過性の記憶媒体である。例えば、ハードディスクドライブ、フラッシュＲＯＭ、および、眼鏡パラメータ測定用撮影装置１に着脱可能に装着されるＵＳＢメモリ等をメモリ７２０として使用することができる。メモリ７２０には、眼鏡パラメータ測定用撮影装置１による遠方視画像又は近方視画像、側方画像の撮影を制御するための撮影制御プログラム、遠方視画像又は近方視画像、側方画像を処理する画像処理プログラムが記憶されている。また、メモリ７２０には、撮影された遠方視画像又は近方視画像、側方画像の撮影位置の情報等、撮影に関する各種情報が記憶される。操作ユニット６００には、検者による各種操作指示が入力される。
【０１４３】
＜装置の動作＞
以上のような構成を備える眼鏡パラメータ測定用撮影装置１において、遠近測定モードによって測定を行う際の眼鏡パラメータ測定用撮影装置１の制御動作について説明する。遠近測定モードは、例えば、遠近累進眼鏡または中近累進眼鏡を作製するためのパラメータを測定するモードである。
【０１４４】
検者は操作ユニット６００に入力し、遠近測定モードに設定する。遠近測定モードに設定された場合、制御部７００は、まず、遠用測定モードにて遠用測定を開始する。制御部７００は、駆動部４４０の駆動を制御することによって、光学切換ユニット４００の反射ミラー４１０の角度θを、遠用測定モードに対応する角度（例えば、被検者の視線が水平方向を向くように、Ｚ軸方向に対して４０°）に設定する（図２参照）。なお、遠用測定モードに対応する角度は、装置の設計によって異なる。遠用測定モードに対応する角度に傾斜された反射ミラー４１０によって、光源２２０からの固視標光束は、被検眼Ｅに対して水平に投光される。
【０１４５】
検者は、作業距離などを操作ユニット６００に入力する。累進帯長またはインセットが決まっていれば、同様に入力する。インセットとは、例えば、レンズの遠用アイポジションに対する近用アイポジションの内寄せ量である。なお、アイポジションとは、視線とレンズ面との交点を示すこととする。
【０１４６】
検者は、眼鏡フレームＦを装用するよう被検者に指示する。検者は、顔支持ユニット３０の当接部３１に額を当てるように被検者に指示する。次に、検者は、固視標を注視するように被検者に指示する。
【０１４７】
被検者が固視標を注視する様子は撮像光学系２００Ｂ及び側方撮像光学系５００によって撮像される。制御部７００は撮像光学系２００Ｂ及び側方撮像光学系５００からの検出信号に基づいて、被検眼Ｅ及び被検者の正面及び側方から撮影した顔の画像を表示部６１０に表示する。
【０１４８】
＜アライメント＞
検者はアライメントを行い、被検者の顔が装置１に対して所定位置に配置されるようにする。例えば、被検眼Ｅまたは眼鏡フレームＦを表示部６１０上の所定位置に表示されるように、被検者と装置１の位置が調節される。
【０１４９】
本実施形態において、制御部７００は、表示部６１０に表示した正面画像及び側方画像にそれぞれ基準線Ｖ，Ｈを表示する（図１０参照）。基準線Ｖは、縦方向の基準を示し、基準線Ｈは横方向の基準を示す。基準線Ｖと基準線Ｈの交点は、画像の中心を示す。
【０１５０】
例えば、検者は、表示部６１０に表示された基準線Ｖ，Ｈに対する被検眼または眼鏡フレームＦの位置を観察し、アライメントを調整する。
【０１５１】
例えば、装置１と被検者の相対的な高さを調節する際は、基準線Ｈに対する被検眼または眼鏡フレームの位置を観察する。そして、例えば、装置１を載せた電動台をＹ方向に移動させて高さを調節する。なお、装置１に上下移動機構が備わり、手動あるいは電動で高さ調節を行ってもよい。
【０１５２】
また、例えば、被検者の顔の左右方向における振れ角を調節する際は、左右の側方画像を観察する。そして、左右の側方画像に表示された基準線Ｖと、被検眼Ｅまたは眼鏡フレームＦとの位置関係が、左右対称的になるようにアライメント調整を行う。
【０１５３】
検者は、調節ノブ５１を操作して顔支持ユニット３０を調節し、被検者の顔の左右方向におけるずれ、すなわち振れを調整する。
【０１５４】
また、例えば、顔支持ユニット３０の調節ノブ４１を操作することによって、被検眼Ｅと装置１との相対的な作動距離を調節する。これによって、撮像光学系２００Ｂと撮像光学系３００Ｂに対する作動距離方向のアライメント調整を行うことができる。
【０１５５】
このようにしてアライメント調整が完了すると、検者は、表示部６１０に表示された図示無き撮影ボタンをタッチする。撮影ボタンがタッチされると、操作ユニット６００は制御部７００に信号を出力する。制御部７００は、検者の操作による操作ユニット６００からの出力信号を受け付けると、撮像素子２１０，撮像素子５７０Ｌ，撮像素子５７０Ｒによって、遠方視状態の被検者の正面画像及び側方画像を撮影する。
【０１５６】
制御部７００は、撮像素子２１０及び撮像素子５７０Ｌ，５７０Ｒによって撮像された画像を解析する。これによって、眼鏡フレームに対する被検眼Ｅの眼鏡装用パラメータを求める。眼鏡装用パラメータとしては、例えば、瞳孔間距離ＰＤ、アイポジション高さ、前傾角α、眼鏡装用距離ＶＤなどが測定される。前傾角αは、補正計算等に用いることができる。眼鏡装用パラメータの求め方は後述する。
【０１５７】
制御部７００は、遠用測定が終了すると、近用測定を行うために測定モードを近用測定モードに設定する。
【０１５８】
近用測定モードに設定された場合、制御部７００は、駆動部４４０（図２参照）の駆動を制御することによって、反射ミラー４１０の角度θを、近用測定モードに対応する角度（例えば、Ｚ軸方向に対して５５°〜８０°）に設定する（図１１（ａ）参照）。なお、反射ミラー４１０の角度θは、累進レンズの累進帯長によって決定される。つまり、眼鏡に用いる累進レンズの累進帯長に対応した視線角度になるように、反射ミラー４１０の角度θが制御される。視線角度と角度θの関係は、装置の設計によって異なる。
【０１５９】
なお、累進レンズの種類または累進帯長が未選択の場合は、正面画像を見ながらフレームに被検眼Ｅが収まるように、反射ミラー４１０及び撮像素子３１０，光源３２０を移動させ、視線方向を変更する。
【０１６０】
続いて、制御部７００は、光源２２０（図２参照）の発光を止め、光源３２０の発光を開始させる。反射ミラー４１０の角度θが変更されたことによって、被検者から光源２２０の固視標は確認できなくなり、光源３２０の固視標が見えるようになる。検者は光源３２０からの固視標を観察するように被検者に指示する。
【０１６１】
被検者が固視標を注視する様子は撮像光学系３００Ｂの撮像素子３１０によって撮像される。制御部７００は撮像光学系からの検出信号に基づいて、被検者の顔の画像を表示部６１０に表示する。なお、固視標（光源３２０）の移動によって、被検者の顔が動いた場合は、表示部６１０に表示された被検者の画像を観察しながら、再度アライメントを行う。
【０１６２】
検者は、表示部６１０に表示された図示無き撮影ボタンをタッチする。撮影ボタンがタッチされると、操作ユニット６００は制御部７００に信号を出力する。制御部７００は撮像素子３１０，撮像素子５７０Ｌ，５７０Ｒ（図７参照）によって、近方視状態の被検者の正面画像及び側方画像を撮影する。制御部７００は、撮影された画像を解析することで、眼鏡フレームに対する被検眼Ｅの眼鏡装用パラメータを求める。
【０１６３】
近用測定によって撮影された画像からは、例えば、近用の瞳孔間距離ＰＤ、レンズ上の視線移動量、前傾角αなどの眼鏡装用パラメータを求める。視線移動量とは、遠用アイポジションから近用アイポジションまでの距離である。なお、近用測定で測定された前傾角αは、補正計算等に用いる。パラメータの求め方は後述する。
【０１６４】
以上のように、遠近測定モードでは、遠用測定及び近用測定を行い、遠用及び近用の瞳孔間距離ＰＤ、遠用アイポジション高さ、視線移動量、遠用の前傾角、遠用のＶＤ等が測定される。
【０１６５】
上記のように、近用検査においては、光路切換ユニット４００及び、光学系移動ユニット３５０によって被検眼Ｅの視線方向を所定範囲内で変更可能である。図１１（ａ）に示すように、例えば、角度θが５５°にされた場合、固視標光束は光路Ｌ２の状態では、被検者は水平視で近用距離を固視した状態になる。角度θと視線方向の関係は装置１の設計によって異なる。
【０１６６】
この状態から反射ミラー４１０の角度を変更することによって、図１１（ｂ）に示すように、固視光束は光路Ｌ２´を通って被検眼Ｅに入射する。これによって、被検者の視線方向を変化させることができる。
【０１６７】
図１２は近用測定時における作業距離（ワーキングディスタンス）の変更方法を説明するための図である。図１２に示すように、光学系移動ユニット３５０によって凸レンズ３４０と凸レンズ３４０を除く固視標投影光学系３００Ａの距離を変更することができる。これによって固視標の呈示距離を変更することができる。本実施形態において固視標の呈示距離は２５ｃｍから５０ｃｍまで変更可能とされる。
【０１６８】
＜画像処理によるパラメータ測定方法＞
以下、取得した画像を用いて、眼鏡を製作するために必要な眼鏡装用パラメータを計測・演算するための方法を簡単に説明する。なお、眼鏡の製作とは、例えば、装用状態に合わせた光学仕様を満たす眼鏡レンズを製作すること、またはレンズを加工して枠入れすることなどを示す。操作者は、操作ユニット６００によって測定モードを選択する。制御部７００は操作ユニット６００からの入力信号を受け付け、選択された測定モードの測定プログラムをメモリ７２０から読み出し、起動させる。
【０１６９】
例えば、瞳孔間距離測定モードが選択されると、図１０（ａ）に例示するような、被検者の顔を撮影した正面画像及び側方画像が表示部６１０に表示される。
【０１７０】
検者は、例えば、正面画像上の左右眼の瞳孔中心をタッチパネル、またはマウス等のポインティングデバイスによって指定することで、遠方視または近方視における瞳孔間距離ＰＤを求める。または、画像処理によって自動で瞳孔を検出することで、遠方視または近方視における瞳孔間距離ＰＤを求めてもよい。なお、本実施形態においては、ブリッジ中心（左右のリムの中心）から左右それぞれの瞳孔までの距離である片眼瞳孔間距離を求めることができる。
【０１７１】
また、アイポジション高さを測定することができる。例えば、正面画像上の左右眼の瞳孔中心、及びフレームＦのリムの下端をポインティングデバイスによって選択する。すると、制御部７００は、選択されたリムの下端の高さから、左右それぞれの瞳孔までの距離をアイポジション高さとして求める。
【０１７２】
もちろん、画像処理によってアイポジション高さを自動で検出するものとしてもよい。例えば、画像処理によって瞳孔とフレームＦを検出する。そして、瞳孔の位置と、瞳孔から下方向に延びる直線がフレームＦと交わる位置と、の距離をアイポジション高さとして求めてもよい。また、画像処理等によってフレーム枠中心から瞳孔までの高さを検出することもできる。
【０１７３】
なお、本実施形態においては、レンズ上における視線移動量を求めることができる。視線移動量は、累進レンズを用いた眼鏡の作製に用いられる眼鏡装用パラメータの一つである。例えば、視線移動量は、遠用アイポジション高さと近用アイポジション高さの差として求めることができる。
【０１７４】
また、例えば、瞳孔間距離ＰＤと同様に、眼鏡装用距離ＶＤを測定することもできる。この場合、検者は、タッチパネル、マウス等のポインティングデバイスによって側方画像上の角膜頂点位置及びフレームの位置を指定することで、遠方視または近方視における左右の眼鏡装用距離ＶＤを測定してもよい。
【０１７５】
算出された眼鏡装用距離ＶＤは、眼鏡フレームのフィッティングに用いてもよい。フィッティングとは、例えば、被検者の顔の形状に合うように、眼鏡フレームを変形させることである。
【０１７６】
一般的な眼鏡装用距離ＶＤは１２ｍｍとされる。前述の方法で算出された眼鏡装用距離ＶＤが１２ｍｍでない場合、検者は眼鏡装用距離が１２ｍｍになるように眼鏡フレームのフィッティングを行う。例えば、算出された眼鏡装用距離ＶＤを参考に図示無き鼻当てを曲げる。
【０１７７】
また、眼鏡装用距離ＶＤが左右で異なる場合は、左右の眼鏡装用距離ＶＤが等しくなるようにフィッティングを行うことができる。
【０１７８】
また、側方画像から求められた眼鏡装用距離ＶＤは、カスタムレンズの作成に用いられてもよい。例えば、眼鏡装用距離ＶＤが１０ｍｍのときに、所望の度数が得られるカスタムレンズ等を作成することができる。
【０１７９】
以上のように、側方画像から求められた眼鏡装用距離ＶＤは、眼鏡フレームのフィッティングを行う際の参考情報となる。
【０１８０】
なお、以上に説明した眼鏡装用パラメータの算出方法は、遠近どちらの測定でも利用可能である。
【０１８１】
また、被検者の顔を撮影した側方画像から、装用時のフレーム前傾角αを求めることもできる。例えば、検者は、側方画像に写された眼鏡フレームのリム上の２点をポインティングデバイスによって指定する。制御部７００は、この２点を通る直線が鉛直方向に対して傾く角度をフレーム前傾角αとして求めてもよい。
【０１８２】
＜側方画像の撮影方法＞
なお、以下の方法によって撮影された側方画像を用いて、フレーム前傾角αを求めることもできる。側方画像を撮影する方法の一つとして、例えば、制御部７００は、調節光源５９０Ｌ，５９０Ｒ（図７参照）の光量を変化させる。そして、背景の明るさが異なる側方画像を少なくとも２枚撮影し、光量を変化させて撮影した少なくとも２枚の画像の差分から背景領域を検出する。なお、以下の説明において、調節光源５９０Ｌ，５９０Ｒは両方とも点灯させるものとして説明するが、どちらか一方だけ点灯させてもよい。
【０１８３】
本実施形態においては、制御部７００は、調節光源５９０Ｌ，５９０Ｒを点灯した状態で、被検者の側方画像を撮影する。このとき、背景部材５８０Ｌ，５８０Ｒは調節光源５９０Ｌ，５９０Ｒ、によって照明され、撮影される側方画像の背景は明るくなる。その後、制御部７００は、調節光源５９０Ｌ，５９０Ｒを消灯した状態で被検者の側方画像を撮影する。このとき、背景部材５８０Ｌ，５８０Ｒは照明されないため、撮影される側方画像の背景は暗くなる。なお、調節光源５９０Ｌ，５９０Ｒを点灯させる場合と消灯させる場合とでは、どちらから先に撮影しても構わない。
【０１８４】
制御部７００は、撮影した側方画像から眼鏡フレームＦを求める。以下、背景の明るさが異なる少なくとも２枚の側方画像を用いて、眼鏡フレームＦを検出するときの画像処理方法及び手順を簡単に説明する。
【０１８５】
まず、予め、被検者の顔を振れ角度が０度になるようにしておく。本実施形態においては、顔支持ユニット３０によって振れ角度を０度にする。その状態で、調節光源５９０Ｌ，５９０Ｒを点灯させた場合と消灯させた場合とで、それぞれ側方画像を撮影する。すると、図８に示すように、背景の明るい画像と背景の暗い画像として撮影される。
【０１８６】
＜フレーム下端検出＞
続いて、前述の撮影結果の少なくとも一方を用いて、フレームＦの下端を検出する。ここでは、調節光源５９０Ｒが点灯している場合の側方画像で検出する例を示す。
【０１８７】
本実施形態の眼鏡パラメータ測定用撮影装置１では、光源１１０Ｒ，１１０Ｌ，１１１Ｒ，１１１Ｌ（図１参照）で被検者を照射するため、側方画像において、肌領域の輝度が高くなる。そこで、高輝度部を抽出することで肌領域を検出し、その肌領域においてＵ字（凹）状態となっている部分をフレームＦの下端とする。このように、本実施形態におけるフレーム下端検出では、眼鏡フレームの形状ではなく被検者の顔の輪郭に着目する。
【０１８８】
なお、本眼鏡パラメータ測定用撮影装置１では、顔支持ユニット３０によって顔が固定されるため、おおよそ顔半分となる座標は決まっている。そこで、処理の単純化及び高速化のために、顔下半分の領域に対して処理を行ってもよい。
【０１８９】
次に、２値化を行い、高輝度部を抽出する。例えば、図１３（ａ）に示す画像の２値化を行い、図１３（ｂ）に示すような画像を取得する。
【０１９０】
そして、２値化結果に対して、Ｕ字（凹）状態になっている箇所を探し、その座標をフレームＦの下端Ｂとする（図１３（ｂ）参照）。
【０１９１】
＜フレーム上端検出＞
調節光源５９０Ｌ，５９０Ｒ（図７参照）の点灯状態と消灯状態の画像の差分から背景を検出し、そこからフレーム上端を求める。このように、本実施形態におけるフレーム上端検出では、眼鏡フレームＦを直接検出するのではなく、背景領域を検出することで、フレームＦを間接的に求める。以下、画像処理の一例を簡単に説明する。なお、下記処理例では、顔上半分に対して処理を行うとする。
【０１９２】
まず、差分画像の生成を行う。撮影部で取得した調節光源５９０Ｌ，５９０Ｒの点灯状態の画像と、消灯状態の画像の差分画像を生成する。座標（ｘ，ｙ）の点灯状態の画像の輝度をＡ（ｘ，ｙ）、消灯状態の画像の輝度をＢ（ｘ，ｙ）とする。すると、差分画像の座標（ｘ，ｙ）の輝度Ｙ（ｘ，ｙ）は次式で与えられる。
【０１９３】
【数１】
2015066134.tif 000003
例えば、このとき取得された差分画像の一例を図１４（ａ）に示す。
【０１９４】
次に、得られた差分画像に対して２値化を行い、背景画像を抽出する。このときに抽出された背景画像の一例を図１４（ｂ）に示す。
【０１９５】
続いて、取得された背景画像に対し、例えば、高輝度部の輪郭が逆Ｕ字または逆Ｌ字となる点をフレーム上端Ｕとする。
【０１９６】
＜前傾角算出部＞
本実施形態において、フレーム下端、上端の２点を結んだ線を眼鏡のレンズ面と仮定する。本眼鏡パラメータ測定用撮影装置１においては、被検者の顔を固定するため、フレーム下端Ｂ、フレーム上端Ｕの２点座標から得たレンズ面より、フレーム前傾角αが求められる。
【０１９７】
以上のように、側方画像からフレームＦを直接検出しなくてもよい。背景領域を検出することで、フレームＦを間接的に求めてもよい。背景領域に比べ、眼鏡フレームＦは光の反射特性や形状が様々であるため、検出するための処理が複雑になる。従って、背景領域の検出によってフレームＦを検出することで、処理を簡単にすることができる。
なお、本実施形態においては、調節光源５９０Ｌ，５９０Ｒを点灯状態と消灯状態の２つの状態で差分を取っている。しかしながら、光量の異なる２つの状態（例えば、調節光源５９０Ｌ（または５９０Ｒ）の出力を変更した状態）の差分を取ってもよい。また、本実施形態では、２枚以上の画像の差分を取ってもよいし、光量の異なる２つ以上の状態における画像の差分を取ってもよい。
【０１９８】
なお、本実施形態においては、背景の明るさが異なる２つの側方画像の差分を取るものとしたが、これに限らない。例えば、差分を取らずにフレームまたは肌領域、背景領域を検出してもよい。
【０１９９】
以上の説明のように、本実施形態では、遠方視測定と近方視測定とで、測定光学系（例えば、遠用測定光学系２００，近用測定光学系３００）が別々に設けられる。これによって、簡単に遠方視測定と近方視測定を切り換えることができる。従って、遠方視と近方視で切り換えるときに、撮像素子または固視標などを大きく移動させることなく、スムーズに測定できる。なお、上記例においては、反射ミラー４１０の角度を変更することによって、遠方視と近方視とがスムーズに切り換えられる。
【０２００】
また、測定光学系が別に配置された場合、遠用測定と近用測定とを切り換えるときの切り換え時間が短く、測定時間を短くできる。これによって、被検者は、長い時間同じ姿勢を維持する必要がなくなる。また、遠用測定と近用測定を切り換える間に被検者の姿勢が崩れることを抑えることができる。
【０２０１】
また、本実施形態において、遠用測定光学系２００は固定されている。そして、近用測定光学系３００は、固視標の呈示距離を変更する等のために光学系移動ユニット３５０によって移動可能に設けられている。
【０２０２】
遠方視測定と近方視測定で光学系が一つであると、固視標の呈示距離を変えるために、光学系を移動させる距離が大きくなる。また、光学系が大きくなってしまい、装置が大型化してしまう。また、光学系が大きくなることで、光学系が重くなり、光学系を移動して遠近を切り換える時間が増え、短時間で遠近を切り換えることが難しい。
【０２０３】
また、本実施形態において、遠方視測定でも近方視測定でも常に固視標光源から角膜までの距離と、角膜から絞り３１４（絞り２１４）までの光学的な距離が同じである。よって、固視標に誘導された被検眼Ｅの視線Ｓと、絞り３１４（絞り２１４）と瞳孔中心を結ぶ主光線Ｌａとが一致する（図１９参照）。その結果、正面画像を用いて、レンズ上の視線が通過する位置を求めるときに補正計算をする必要が必ずしもなくなる。
【０２０４】
また、目線が撮像素子の位置に合った状態で撮影される。従って、検者は、被検者が適正に固視状態であるかどうか判断することができる。
【０２０５】
つまり、画像に写った被検者の視線が合っていれば、固視できており、合っていなければ固視できていないことがわかる。
【０２０６】
なお、前述のように、視標の呈示距離の変更に応じて、角膜から視標までの光学的な距離と、角膜から絞りまでの光学的な距離とを等しくするような制御の適用は、遠用測定光学系２００と、近用測定光学系３００とが独立して配置された構成に限定されない。例えば、遠用測定と近用測定の両方で同一の固視標と撮像素子を用いる場合であっても、上記制御の適用は可能である。
【０２０７】
なお、選択した累進レンズに応じた近用フィッティングポイントの位置を表示させておけば、その累進レンズが測定に用いている眼鏡フレームＦに適しているかどうか確認することができる。
【０２０８】
例えば、図１０（ａ）に示すように、制御部７００は、遠用測定光学系２００によって撮影した遠用測定時の正面画像に、近用フィッティングポイントＮＦＰを表示させる。近用フィッティングポイントＮＦＰを表示させるには、まず、正面画像の瞳孔位置から遠用アイポジションの位置を測定する。そして、測定された遠用アイポジションの位置に対し、選択した累進レンズの累進帯長及び内寄せ量だけずれた位置に近用フィッティングポイントＮＦＰの位置を表示させる。
【０２０９】
近用フィッティングポイントＮＦＰが画像の眼鏡フレームＦのリムより内側に表示されれば、選択した累進レンズは、眼鏡フレームＦに適合することが確認できる。逆に、近用フィッティングポイントＮＦＰが画像の眼鏡フレームＦのリムより外側に表示されれば、選択した累進レンズは、眼鏡フレームＦに適合しないことが確認できる。
【０２１０】
また、被検眼Ｅの瞳孔位置と近用フィッティングポイントＮＦＰの位置を確認することで、被検者が正しい見方をしているかどうか確認できる。
【０２１１】
例えば、図１０（ｂ）に示すように、制御部７００は、近用測定光学系３００によって撮影された近用測定時の正面画像に、近用フィッティングポイントＮＦＰを表示させる。近用フィッティングポイントＮＦＰを表示させるには、制御部７００は、遠用測定時の正面画像に表示した近用フィッティングポイントＮＦＰの位置に基づき、近用測定時の正面画像に近用フィッティングポイントＮＦＰを表すべき位置を算出する。このとき、制御部７００は、被検者が下方視するときの視線角度及び眼鏡の前傾角α等から、遠用測定時と近用測定時のそれぞれ正面画像の対応関係を算出し、近用フィッティングポイントＮＦＰの表示位置を計算する。
【０２１２】
検者は、近用測定時の正面画像を観察し、被検者の瞳孔の位置と近用フィッティングポイントＮＦＰを示すマークの位置を確認する。瞳孔と近用フィッティングポイントＮＦＰが重なって表示される場合、被検者の視線が近用フィッティングポイントＮＦＰを通っていることがわかるので、検者は、被検者が正しい見方をしていることが観察できる。
【０２１３】
なお、被検者の瞳孔と近用フィッティングポイントＮＦＰとが重なって表示されず、ずれて表示される可能性もある。このとき、検者はこのずれ具合を確認し、被検者の視線が近用フィッティングポイントＮＦＰを通過するように、眼鏡フレームＦのフィッティング行ってもよい。このように、本装置１は、眼鏡のフィッティングを行うための参考情報を測定するために用いられてもよい。
【０２１４】
ただし、フィッティングが難しい場合がある。例えば、眼鏡フレームＦの種類によっては、鼻当てが眼鏡フレームのリムと一体化し、フィッティングできないことがある。また、レンズのフィッティングポイントと被検者のアイポジションが大きくずれている場合、フィッティングし切れないことがある。
【０２１５】
以上のように、フィッティングが難しい場合には、検者は、本装置１によって眼鏡装用パラメータを測定し、累進帯長の選択、またはレンズの設計値を算出し、それに基づいてレンズを設計してもよい。
【０２１６】
なお、本実施形態では、遠用測定と近用測定とを切り換えるだけでなく、近用測定時に、反射ミラー４１０を回旋させることによって、被検者の視線方向を回旋させることができる。これによって、遠方視状態だけでなく、選択した累進レンズの累進帯長に応じた近方視状態を再現することができる。従って、累進眼鏡の遠方視、近方視のそれぞれでの眼位置を測定することができる。そして、被検者にとって、より適した累進レンズを選択できる。
【０２１７】
本実施形態では、反射ミラー４１０の回旋に合わせ、光源３２０と凸レンズ３４０との距離が光学系移動ユニット３５０によって調節される。例えば、反射ミラー４１０の回旋によって固視標の呈示距離が変化した場合、その変化を相殺するように光学系移動ユニット３５０の駆動が制御される。
【０２１８】
これによって、反射ミラー４１０が回旋しても、固視標の呈示距離を一定に保つことができる。つまり、固視標の呈示距離を一定とした状態で、被検者の視線方向を回旋させることができる。従って、累進帯長の違いによる視線方向をシミュレートして被検者に見せることできる。
【０２１９】
以上のように、被検者の視線方向または固視標の呈示距離が変更可能とされることで、眼鏡の使用状況に合わせた設定で眼位置を測定することができる。これによって、より正確な眼鏡レンズの選択が可能となる。
【０２２０】
なお、本実施形態のような顔支持ユニット３０によって当接部３１を回旋させることで、左右方向に関する被検顔の向きを調整することができる。これによって、顔支持ユニット３０に支持された被検顔の向く方向が正面方向からずれていても、当接部３１を回旋させることで、ずれを調節することができる。
【０２２１】
なお、計算によって顔の左右方向のずれを補正しようとすると、フレーム形状の測定及び複雑な補正計算が必要になる。そのため、本実施形態のように、顔支持ユニット３０によって、顔のずれを直接合わせ込むことで、フレーム形状の測定及び複雑な補正計算が不要になる。
【０２２２】
以上のように、被検者の顔を固定する手法として、額当てを用いて額を固定することによって、顎台（顎当て）を用いた顎の固定に対し、左右方向のずれを精度良く調整することができる。すなわち、顔の位置（例えば、フレームＦの位置や被検眼Ｅの位置等）を調整する際、顎は、フレームＦや被検眼Ｅに対して一定の位置関係で維持しづらい（顔に対して顎が移動するため）。これに対し、額は、フレームＦ、被検眼Ｅに対して、一定の位置関係を維持しやすい（顔に対して額が移動しない）。このため、額の位置を調整することによって、フレームＦと被検眼Ｅの位置がスムーズに調整される。
【０２２３】
また、顎台を用いた調整において、被検者の顔の形状（例えば、顎の形状等）に応じて、顔の向きを正面方向に調整できない場合が生じる。これに対して、額当てを用いる構成によって、顎の形状の影響を受けることなく、顔の向きを正面方向にあわせやすくなる。すなわち、顎台を用いた調整は、顎の形状によって、フレームＦ又は被検眼Ｅに対して、顎が突き出す状態で顔が維持される可能性がある。この場合、顔の向きは、正面方向ではなくなる。
【０２２４】
また、顎台での調整において、顔の形状（例えば、顔の長さ等）に応じて、フレームＦの位置又は被検眼の位置を所定の高さに調整するための調整動作や構成等が必要となる。これに対し、額当てを用いる構成によって高さ方向の調整動作が容易となる。すなわち、フレームＦや被検眼Ｅから顎までの距離が離れているために、顔のずれ調整の際に、顔の長さの影響を考慮する必要があるのに対して、額当てでの調整の場合には、フレームＦや被検眼Ｅから額までの距離が近いため、顔の長さの影響が受けづらい。このため、顔のずれ調整が容易に行える。
【０２２５】
また、累進レンズを用いた眼鏡によって適切な近用視力を得るには、顔を傾けずに視線だけを下方に動かす必要がある。しかしながら、一般的に、視線を下げると無意識に顎を回旋させて（引っ込ませて）、顔を傾けてしまう人が多い。
【０２２６】
従って、被検者が顎を回旋することなく、近用固視標を確認することができているのか確認するためには、顎を回旋できるようにした状態で測定できる構成が好ましい。例えば、額当てを用いる構成であれば、顎を回旋することが可能である。
【０２２７】
以上のように、本実施形態の側方撮像光学系５００は、例えば、背景部材５８０Ｌ，５８０Ｒを備える。背景部材５８０Ｌ，５８０Ｒによって、側方撮像光学系５００によって撮影された側方画像の背景が明るくなる。これによって、例えば、照明光学系１００の照明光に対して反射率の小さい材質のフレームであっても、側方画像上の眼鏡フレームを目視で確認すること容易になる。したがって、眼鏡フレームの位置を確認しながら、額当てを調節することなどが容易になる。
【０２２８】
また、側方画像の背景とフレームＦとのコントラストが大きくなることによって、フレームＦを検出することが容易になる。
【０２２９】
また、本実施形態の側方撮像光学系５００は、調節光源５９０Ｌ，５９０Ｒを備え、背景部材５８０Ｌ，５８０Ｒの照明輝度を調節できるものとした。これによって、フレームの照明光源に対する反射率を考慮して背景の明暗を調節することができる。例えば、被検者が照明光源に対する反射率の小さいフレームを装用している場合、制御部７００は、照明５９０Ｌ，５９０Ｒを点灯し、背景を明るくする。また、例えば、被検者が照明光源に対する反射率の大きいフレームを装用している場合、制御部７００は、照明５９０Ｌ，５９０Ｒを消灯し、側方画像の背景を暗くする。このように、照明光学系１００の照明光に対して反射率の小さい材質のフレームに限らず、照明光学系１００の照明光に対して反射率の大きい材質のフレームについても背景の輝度を調節することによって、フレームと背景のコントラストを大きくすることができる。
【０２３０】
なお、制御部７００は、調節光源５９０Ｌ，５９０Ｒの輝度を大きくして撮影する第１撮影モードと、第１撮影モードよりも輝度を小さくして撮影する第２撮影モードを切り換えてもよい。この場合、例えば、制御部７００は、検者の入力による操作ユニットからの出力信号に基づいて、第１モードと第２モードを切り換えてもよい。例えば、検者は、第２撮影モードで撮影された被検者の画像を目視し、眼鏡フレームＦと背景との識別が難しい場合は、操作ユニット６００の図示無き撮影モード切換ボタンを押す。すると制御部７００は、撮影モードを第１撮影モードに切り換えて撮影を行う。同様に、第１撮影モードで撮影された被検者の画像からは、眼鏡フレームＦと背景との識別が難しい場合、撮影モードを第２撮影モードに切り換えてもよい。
【０２３１】
なお、制御部７００は、自動で撮影モードを切り換えてもよい。例えば、制御部７００は、第１撮影モードで撮影した側方画像を解析する。そしてフレームＦと肌領域または背景領域との境界の検出が難しい場合に、撮影モードを第２撮影モードに自動で切り換えるようにしてもよい。もちろん、制御部７００は、始めに第２撮影モードで撮影した側方画像を解析し、第１モードに自動で切り換えるようにしてもよい。
【０２３２】
＜差分画像について＞
また、本実施形態において、制御部７００は、側方撮像光学系５００によって被検者の側方画像を撮影するときに、調節光源５９０Ｌ，５９０Ｒを点灯しているときの側方画像と、消灯しているときの側方画像を少なくとも１枚ずつ撮影する。そして、撮影した両方の画像の差分をとることによって、側方画像の背景領域を検出する。検出した背景領域の形状からフレームの上端を検出するようにしてもよい。
【０２３３】
この方法を用いると、外乱の影響を抑えることができる。また、検者は、表示部６１０に表示された撮影画像を確認して、調節光源５９０Ｌ，５９０Ｒを点灯させるか、消灯させるかを判断する手間が省ける。
【０２３４】
以上のように、本実施形態の眼鏡パラメータ測定用撮影装置１は、少なくとも２枚以上の背景の明るさが異なる側方画像を撮影し、撮影した少なくとも２枚以上の側方画像から、背景部材と眼鏡フレームＦとを識別する。
【０２３５】
＜変容形態＞
本実施形態の眼鏡パラメータ測定用撮影装置の第３変容形態について図１５を用いて説明する。図１５は第１変容形態の眼鏡パラメータ測定用撮影装置をＸ方向から見たときの断面図である。図１５において、実施形態と同一番号を付与した構成については、実施形態と同様の機能を果たすものとし、説明は省略する。
【０２３６】
本変容形態の光路切換ユニット４０１は２つの反射ミラー４１１，４１２、ミラー挿脱ユニット４９０を主に備える。ミラー挿脱ユニット４９０は、第１挿脱ユニット４９１と、第２挿脱ユニット４９２を主に備える。第１挿脱ユニット４９１は図示無き駆動部を有し、反射ミラー４１１を測定光路中に挿脱する。第２挿脱ユニット４９２は、図示無き駆動部を有し、反射ミラー４１２を測定光路中に挿脱する。
【０２３７】
本変容形態においては、ミラー挿脱ユニット４９０によって、２つの反射ミラー４１１，４１２を測定光路中に挿脱する。これによって、遠用測定光路と近用測定光路とで測定光路を切換える。例えば、遠用測定時には、図１５（ａ）に示すように、反射ミラー４１１が測定光路中にＺ軸方向に対して４０°程度傾斜した方向に挿入され、反射ミラー４１２は、測定光路外に退避される。反射ミラー４１１によって、遠用測定光学系２００の測定光路が形成され、遠用測定が可能される。同様に、近用測定時には、図１５（ｂ）に示すように、反射ミラー４１２が測定光路中にＺ軸方向に対して５５°〜８０°程度傾斜した方向に挿入され、反射ミラー４１１は、測定光路の外に退避される。これによって近用測定が可能とされる。
【０２３８】
以上のように、一つの反射ミラーの角度を変えることに限らず、２つ以上のミラーを挿脱することによって遠用測定光路と近用測定光路を切換えてもよい。このような方法であっても、本実施形態と同様の効果を得ることができる。
【０２３９】
もちろん、挿脱するミラーの角度を可変とし、被検者の視線方向を変更できる構成であってもよい。
【０２４０】
なお、第２変容形態として、例えば、近用測定用光学系３００を遠用測定用光学系２００の光路中に挿脱することによって、測定光学系を切換えるようにしてもよい。図１６は、第２変容形態における光学系の概略を説明するための図である。なお、以下の説明において、構成の異なる部分について主に説明する。実施形態と同様の構成を用いる部分についての説明は省略する。なお、図１６において、実施形態と同一番号を付与した構成については、実施形態と同様の機能を果たすものとし、説明は省略する。
【０２４１】
第２変容形態は、実施形態における遠用測定用光学系２００、光路切換えユニット４００の構成が主に異なる。
【０２４２】
第２変容形態の遠用測定用光学系２０２は、凹面ミラー２４０によって視標光束を反射させ、反射ミラー４１０を介すことなく被検眼Ｅに視標を投影できるように配置される（図１６（ａ）参照）。なお、凹面ミラー２４０によって、視標光束の呈示距離は、常用視線距離１５ｍとされる。
【０２４３】
第２変容形態の光路切換えユニット４０２は、反射ミラー４１３と、ミラー挿脱ユニット４９３を備える。ミラー挿脱ユニット４９３は、第１変容形態のミラー挿脱ユニット４９０と同様のミラー挿脱機構を持つ。ミラー挿脱ユニット４９３は、反射ミラー４１３を遠用測定用光学系２０２の光路上に挿脱する。遠用測定光学系２０２の光路中に挿入された反射ミラー４１３は、遠用測定用の光路を遮断する（図１６（ｂ）参照）。また、反射ミラー４１３は、近用測定用光学系３００の測定光路を形成させる。
【０２４４】
このように、一つの反射ミラー４１３がミラー挿脱ユニット４９３によって測定光路中に挿脱されることによって、遠用測定用光学系２０２と近用測定用光学系３００の光路を切換えるようにしてもよい。このような方法であっても、本実施形態と同様の効果を得ることができる。
【０２４５】
以下、本実施形態の眼鏡パラメータ測定用撮影装置の第３変容形態について図１７を用いて説明する。第３変容形態は、第２変容形態において説明した遠用測定用光学系２０２を備える。なお、以下の説明では、第２変容形態と異なる部分について主に説明する。第２変容形態と同様の構成については同一符号を付し、説明を省略する。
【０２４６】
第３変容形態は、遠用測定用光学系２０２の測定光路中に、近用測定用光学系３００を挿脱することによって、遠用測定用光学系２０２と近用測定用光学系３００の光路を切換える。例えば、第３実施形態の光路切換えユニット４０３は、保持部４２３、光学系挿脱ユニット４９４を主に備える。保持部４２３は、近用測定用光学系３００及び光学系移動ユニット３５０を保持する。光学系挿脱ユニット４９４は、保持部４２３に保持された近用測定用光学系３００を遠用測定用光学系２０２の光路中に挿脱する。光学系挿脱ユニット４９４は、例えば、図示無き駆動部、送りネジ、保持部４２３に固定されたナット等を備え、保持部４２３を移動させる。
【０２４７】
このように、光学系挿脱ユニット４９４によって近用測定光学系３００が遠用測定用光学系２０２の光路中に挿脱されることによって、遠用測定用光学系２０２と近用測定用光学系３００の光路を切換えるようにしてもよい。このような方法であっても、本実施形態と同様の効果を得ることができる。
【０２４８】
背景部材の変容形態について図１８を用いて説明する。本実施形態において、背景部材５８０Ｌ，５８０Ｒとして、白板等を用いるものとして説明したが、これに限らない。例えば、背景部材５８０Ｌ，５８０Ｒとして拡散板を用いてもよい。拡散板とは、通過する光を拡散させて、輝度のばらつきを緩和させる部材のことである。
【０２４９】
この場合、例えば、背景部材５８０Ｌ，５８０Ｒを図１８（ａ）に例示するよう配置させる。したがって、背景部材５８０Ｌ，５８０Ｒはそれぞれ撮像部５７５Ｌ，５７５Ｒの被検者側に配置される。また、背景部材５８０Ｌ，５８０Ｒは、それぞれ撮像部５７５Ｌ，５７５Ｒの測定光路を囲むように配置される。
【０２５０】
そして、調節光源５９０Ｌ，５９０Ｒは、背景部材５８０Ｌ，５８０Ｒを背後から照明する。調節光源５９０Ｌ，５９０Ｒからの照明光は、背景部材５８０Ｌ，５８０Ｒによって拡散され、撮像部５７５Ｌ，５７５Ｒの周辺を明るくする。
【０２５１】
例えば、撮像素子５７０Ｌによって被検者の側方画像を撮像するとき、調節光源５９０Ｒの照明光が背景部材５８０Ｒによって拡散される。そして、拡散された照明光がハーフミラー５３０Ｒによって反射され、被検者の側方画像の背景に写りこむ。拡散された照明光によって、側方画像の背景が明るくなる。撮像素子５７０Ｒの場合も同様である。
【０２５２】
このように、撮像部５７５，５７５Ｒより外側を背景部材として明るい背景色を施してもよい。これによって、側方画像の背景を明るくでき、照明光学系１００の照明光に対して反射率の小さい材質のフレームを自動で検出し易くなる。もちろん、調節光源５９０Ｌ，５９０Ｒを消灯すれば、照明光学系１００の照明光に対して反射率の大きい材質のフレームも検出し易くなる。
【０２５３】
以上のことから、本変容形態の眼鏡パラメータ測定用撮影装置１は、光拡散部材と、光拡散部材を照明する照明光源（例えば、調節光源５９０Ｌ，５９０Ｒなど）と、を備え、照明光源からの照明光が光拡散部材によって拡散することで、撮像光学系（例えば、側方撮像光学系５００など）によって撮影される画像の背景を明るくすることができる。なお、図１８（ａ）の例において、ハーフミラー５３０Ｌ，５３０Ｒはハーフミラーでなくともよい。
【０２５４】
また、背景部材の構成は本実施形態に限定されない。例えば、図１８（ｂ）に示すような構成が考えられる。図１８（ｂ）の例では、撮像素子５７０Ｌ，５７０Ｒの撮像光路中にハーフミラー５３１Ｌ，５３１Ｒが配置される。そして、撮像光路外には背景部材５８０Ｌ，５８０Ｒとして拡散板が設けられる。また、背景部材５８０Ｌ，５８０Ｒを照射する調節光源５９０Ｌ，５９０Ｒが設けられる。
【０２５５】
このような構成を備える眼鏡パラメータ測定用撮影装置１で撮影された側方画像の背景について、左側方画像を例にして説明する。背景を明るくして左側方画像を撮影する場合、制御部７００は、光源５９０Ｒを点灯させる。光源５９０Ｒからの光束は背景部材５８０Ｒを通過し、拡散される。拡散された光束は、ハーフミラー５３１Ｒによって反射される。その後、光束は、反射ミラー５３０Ｒ、反射ミラー５３０Ｌによって反射される。そして、反射された光束は、ハーフミラー５３１Ｌ、赤外フィルタ５４０Ｌ、絞り５５０Ｌ、撮像レンズ５６０Ｌを通過し、撮像素子５７０Ｌの撮像面に集光される。
【０２５６】
撮像素子５７０Ｌは、背景部材５８０Ｒによって拡散された調節光源５９０Ｒからの光束を受光する。これによって、受光素子５７０Ｌは、背景が明るい状態の左側方画像を撮影する。逆に、調節光源５９０Ｒを消灯する、または輝度を低くした場合、撮像素子５７０Ｌには、背景の光が届かない。従って、撮像素子５７０Ｌは背景が暗い状態の左側方画像を撮影する。なお、撮像素子５７０Ｒによって右側方画像を撮影する場合も同様に説明できる。
【０２５７】
このような変容形態の眼鏡パラメータ測定用撮影装置１においても、側方画像の背景の明るさを調節することができる。
【０２５８】
また、背景部材の別の変容形態として、図１８（ｃ）に示すような構成も考えられる。図１８（ｃ）に示す変容形態においては、背景部材として黒板５８１Ｌ，５８１Ｒ及び白板５８２Ｌ，５８２Ｒを備える。また、白板５８２Ｌ，５８２Ｒを駆動させる駆動部５８３Ｌ，５８３Ｒを備える。駆動部５８３Ｌ，５８３Ｒは、黒板５８１Ｌ，５８１Ｒとハーフミラー５３０Ｌ，５３０Ｒの間に白板５８２Ｌ，５８２Ｒを挿脱することができる。
【０２５９】
このような構成の場合、側方画像の背景を明るくして撮影するときは、制御部７００は、駆動部５８３Ｌ，５８３Ｒを制御し、白板５８２Ｌ，５８２Ｒを挿入する。すると、側方画像の背景に白板５８２Ｌ，５８２Ｒが写り込んで背景が明るくなる。逆に、側方画像の背景を暗くして撮影するとき、制御部７００は、白板５８２Ｌ，５８２Ｒを退去させる。これによって側方画像の背景に黒板５８１Ｌ，５８１Ｒが写り込んで、背景が暗くなる。
【０２６０】
なお、本変容形態の説明においては、背景部材として黒板と白板を用いるとしたが、これに限らず、他の光学部材であってもよい。また、板は何枚用いてもよい。
【０２６１】
以上のように、本変容形態の眼鏡パラメータ測定用撮影装置１は、側方画像に写り込む背景部材（例えば、背景部材５８２Ｌ，５８２Ｒ）を撮像光路中に挿脱する挿脱手段（例えば、駆動部５８３Ｌ，５８３Ｒ）を備え、背景部材を撮像光路中に挿脱することによって、背景画像の明るさを調節してもよい。
【０２６２】
なお、本実施形態の説明では、背景部材５８０Ｌ，５８０Ｒと調節光源５９０Ｌ，５９０Ｒを備え、撮影する側方画像の背景を明るくするものとしたが、これに限らない。例えば、眼鏡パラメータ測定用撮影装置１は、背景部材５８０Ｌ，５８０Ｒの代わりに図示無き液晶ディスプレイを備えてもよい。制御部７００は、液晶ディスプレイの輝度を制御することによって、撮影する側方画像の背景の明るさを調節してもよい。
【０２６３】
上記のように、例えば、本実施形態の眼鏡装用パラメータ撮影装置１は、眼鏡フレームＦを装用した被検者の側方画像を撮影する際に、（例えば、背景部材５８０Ｌ，５８０Ｒ）を照明するための光源（例えば、調節光源５９０Ｌ，５９０Ｒ）を高輝度状態と低輝度状態とで切り換えるための輝度切換手段（例えば、制御部７００）を備える。
【０２６４】
なお、本実施形態の眼鏡パラメータ測定用撮影装置１は、赤外光源、赤外フィルタ等を用いて赤外撮影をするものと説明したが、これに限らない。ＲＧＢカメラ等を用いてカラー撮影をしてもよい。
【０２６５】
カラー撮影をする場合、上記の方法とは異なる画像解析方法を用いることできる。例えば、撮影した側方画像からフレーム下端を検出するときに、肌色の領域を取り出すことで顔の輪郭を取得する方法を用いることができる。顔の輪郭を取得することによって、前述のようにフレームＦの下端を検出することができる。
【０２６６】
また、フレーム上端を検出する別の解析方法として、背景部材５８０Ｌ，５８０Ｒとして既知の色の板または壁など用い、背景部材の色情報に基づいて側方画像の背景領域を検出してもよい。
【０２６７】
また、別の解析方法として、背景を既知の色で照明し、その照明の色情報に基づいて側方画像の背景領域を検出してもよい。
【０２６８】
以上のように、眼鏡パラメータ測定用撮影装置１は、カラー撮影可能な撮像素子（例えば撮像素子５７０Ｌ，５７０Ｒ）を備え、既知の色情報（例えば、被検者の肌の色、背景部材５８０Ｌ，５８０Ｒの色、調節光源５９０Ｌ，５９０Ｒの色）に基づいて、撮像素子によって撮影された側方画像中の眼鏡フレームＦを検出するフレーム検出手段（例えば、制御部７００）を備えてもよい。
【符号の説明】
【０２６９】
１  眼鏡パラメータ測定用撮影装置
２０  呈示窓
３０  顔支持ユニット
２００  遠用測定光学系
３００  近用測定光学系
４００  光路切換ユニット
５００  側方撮像光学系
５８０Ｌ，５８０Ｒ  背景部材
６００  操作ユニット
７００  制御部
【図１】
2015066134.tif 000004
【図２】
2015066134.tif 000005
【図３】
2015066134.tif 000006
【図４】
2015066134.tif 000007
【図５】
2015066134.tif 000008
【図６】
2015066134.tif 000009
【図７】
2015066134.tif 000010
【図８】
2015066134.tif 000011
【図９】
2015066134.tif 000012
【図１０】
2015066134.tif 000013
【図１１】
2015066134.tif 000014
【図１２】
2015066134.tif 000015
【図１３】
2015066134.tif 000016
【図１４】
2015066134.tif 000017
【図１５】
2015066134.tif 000018
【図１６】
2015066134.tif 000019
【図１７】
2015066134.tif 000020
【図１８】
2015066134.tif 000021
【図１９】
2015066134.tif 000022